(57)【要約】      （修正有）【課題】使用者に超音波洗浄を行うタイミングを意識させることなく、水栓からの吐水の開始と超音波洗浄の開始とを連動させ、封水形成部内の封水水位よりも高い最大水位まで超音波洗浄を実行することができる排水システムを提供する。【解決手段】本発明の排水システムは、キッチン用水栓から吐水される水を検知する検知部と、第１水位で通常時の封水を形成する排水本体部８と、キッチン用水栓から吐水される水により、封水の水位を、第１水位より高い第２水位Ｗ１まで上昇させる水位上昇手段１２，１４と、超音波発振器２２と、制御装置と、を備え、制御装置は、封水の水位が第２水位Ｗ１となる期間のうち少なくとも一部の期間において超音波発振器による発振を行わせるように、検知部による吐水される水の検知と連動して、超音波発振器２２による発振を開始させる。【選択図】図１０
2020051219.tif 000002
【特許請求の範囲】
【請求項１】
水を排水する排水システムであって、
キッチンのシンクに水を吐水するキッチン用水栓と、
上記キッチン用水栓から吐水される水を検知する検知部と、
上記シンクの下流端と接続され、上記シンクに吐水された水を排水するとともに、吐水された水の一部を貯留させて第１水位で通常時の封水を形成する排水本体部と、
上記キッチン用水栓から吐水される水により、封水の水位を上記第１水位より高い洗浄時の封水の水位として設定された第２水位まで上昇させる水位上昇手段と、
上記排水本体部内の水に超音波を発振する超音波発振器と、
上記超音波発振器の発振を制御する制御装置と、を備え、
上記制御装置は、封水の水位が上記第２水位となる期間のうち少なくとも一部の期間において上記超音波発振器による発振を行わせるように、上記検知部による吐水される水の検知と連動して、上記超音波発振器による発振を開始させることを特徴とする排水システム。
【請求項２】
水を排水する排水システムであって、
浴室の洗い場床に水を吐水する浴室用水栓と、
上記浴室用水栓から吐水される水を検知する検知部と、
上記洗い場床の下流端と接続され、上記洗い場床に吐水された水を排水するとともに、吐水された水の一部を貯留させて第１水位で通常時の封水を形成する排水本体部と、
上記浴室用水栓から吐水される水により、封水の水位を、第１水位より高い洗浄時の封水の水位として設定された第２水位まで上昇させる水位上昇手段と、
上記排水本体部内の水に超音波を発振する超音波発振器と、
上記超音波発振器の発振を制御する制御装置と、を備え、
上記制御装置は、封水の水位が上記第２水位となる期間のうち少なくとも一部の期間において上記超音波発振器による発振を行わせるように、上記検知部による吐水される水の検知と連動して、上記超音波発振器による発振を開始させることを特徴とする排水システム。
【請求項３】
水を排水する排水システムであって、
浴室の浴槽内に水を吐水する浴室用水栓と、
上記浴室用水栓から吐水される水を検知する検知部と、
上記浴槽の下流端と接続され、上記浴槽に吐水された水を排水するとともに、吐水された水の一部を貯留させて第１水位で通常時の封水を形成する排水本体部と、
上記浴室用水栓から吐水される水により、封水の水位を、上記第１水位より高い洗浄時の封水の水位として設定された第２水位まで上昇させる水位上昇手段と、
上記排水本体部内の水に超音波を発振する超音波発振器と、
上記超音波発振器の発振を制御する制御装置と、を備え、
上記制御装置は、封水の水位が上記第２水位となる期間のうち少なくとも一部の期間において上記超音波発振器による発振を行わせるように、上記検知部による吐水される水の検知と連動して、上記超音波発振器による発振を開始させることを特徴とする排水システム。
【請求項４】
水を排水する排水システムであって、
洗面ボウルに水を吐水する洗面用水栓と、
上記洗面用水栓から吐水される水を検知する検知部と、
上記洗面ボウルの下流端と接続され、上記洗面ボウルに吐水された水を排水するとともに、吐水された水の一部を貯留させて第１水位で通常時の封水を形成する排水本体部と、
上記洗面用水栓から吐水される水により、封水の水位を、上記第１水位より高い洗浄時の封水の水位として設定された第２水位まで上昇させる水位上昇手段と、
上記排水本体部内の水に超音波を発振する超音波発振器と、
上記超音波発振器の発振を制御する制御装置と、を備え、
上記制御装置は、封水の水位が上記第２水位となる期間のうち少なくとも一部の期間において上記超音波発振器による発振を行わせるように、上記検知部による吐水される水の検知と連動して、上記超音波発振器による発振を開始させることを特徴とする排水システム。
【請求項５】
水を排水する排水システムであって、
水受け部に水を吐水する吐水部と、
上記吐水部から吐水される水を検知する検知部と、
上記水受け部の下流端と接続され、上記水受け部に吐水された水を排水するとともに、吐水された水の一部を貯留させて第１水位で通常時の封水を形成する排水本体部と、
上記吐水部から吐水される水により、封水の水位を、上記第１水位より高い洗浄時の封水の水位として設定された第２水位まで上昇させる水位上昇手段と、
上記排水本体部内の水に超音波を発振する超音波発振器と、
上記超音波発振器の発振を制御する制御装置と、を備え、
上記制御装置は、封水の水位が上記第２水位となる期間のうち少なくとも一部の期間において上記超音波発振器による発振を行わせるように、上記検知部による吐水される水の検知と連動して、上記超音波発振器による発振を開始させることを特徴とする排水システム。
【請求項６】
上記制御装置は、封水の水位が上記第２水位となる期間の全てにわたって上記超音波発振器による発振を継続させる、請求項１乃至５の何れか１項に記載の排水システム。
【請求項７】
上記制御装置は、封水の水位が上記第２水位に到達するとき既に上記超音波発振器による発振を行わせている、請求項１乃至６の何れか１項に記載の排水システム。
【請求項８】
上記水位上昇手段は、上記排水本体部への水の流入がなくなった場合、自動的に封水の水位を上記第１水位まで下げるように形成される、請求項１乃至７の何れか１項に記載の排水システム。
【請求項９】
上記制御装置は、封水の水位が上記第２水位まで上昇する前に上記超音波発振器による発振を開始させる、請求項１乃至８の何れか１項に記載の排水システム。
【請求項１０】
上記制御装置は、封水の水位が上記第２水位から下降時又は上記第１水位まで下降後に上記超音波発振器による発振を停止させる、請求項１乃至９の何れか１項に記載の排水システム。
【請求項１１】
上記排水本体部よりも上方に、複数の孔を有するごみ捕捉部材を備え、
上記第２水位は、上記ごみ捕捉部材の少なくとも一部に水が接する水位に設定されている、請求項１乃至１０の何れか１項に記載の排水システム。
【発明の詳細な説明】
【技術分野】
【０００１】
本発明は、排水システムに係り、特に、水を排水する排水システムに関する。
【背景技術】
【０００２】
従来、特許文献１に示すように、シンクの底面に設けられ且つ超音波発信器を備えている排水システムが知られている。この排水システムにおいては、使用者が排水システムの排水部の汚れを落とそうとする際、使用者は操作部のスイッチを入操作する。操作部の入操作により、排水部の排水弁が閉じられると共に給水弁が開かれて排水部内に水が給水される。排水部内に水が貯められた状態で超音波洗浄が行われ、排水部内の汚れが洗浄される。
【０００３】
また、特許文献２に示すように、シンクの底面に設けられ且つ超音波発信器を備えている排水システムが知られている。この排水システムにおいては、使用者が超音波洗浄を行う際、使用者は操作部の操作ボタンを押し、排水システムの排水孔を閉止させる。排水孔が閉じられた状態でシンクに水が流されると、水が排水システムの排水容器に溜められる。排水容器に水が貯められた状態で超音波洗浄が行われ、排水部内の汚れが洗浄される。
【先行技術文献】
【特許文献】
【０００４】
【特許文献１】特開２００４−３２４１０８号公報
【特許文献２】特開２００７−２８５０９７号公報
【発明の概要】
【発明が解決しようとする課題】
【０００５】
しかしながら、特許文献１及び２に示すような従来の排水システムでは、使用者が操作部のスイッチを操作して超音波洗浄を実行させる必要があった。すなわち、使用者が意識して操作部の操作を行わなければ排水部の超音波洗浄が実行されず、洗浄のたびに使用者に負担をかけるシステムとなっていた。
また、使用者が意識して操作部を操作して超音波洗浄を実行させることから、超音波洗浄用の水を排水部に別途供給する必要が生じていた。
さらに、特許文献１に示すように超音波洗浄用の水を排水部に別途供給するような専用の給水路を設ける場合には、装置構造が複雑化するという問題があった。
一方で、超音波により洗浄を行う際には、洗浄の対象とする部分が水に覆われている必要がある。このため、通常時の封水水位よりも上方に位置する部分を超音波により洗浄するためには、一時的に当該部分を水で覆う必要がある。しかし、吐水部（キッチンであればキッチン用水栓）からの吐水により当該部分を覆うような水膜を形成したとしても、超音波の拡散の不足や伝播のムラによって、十分かつ均一な洗浄能力を得ることが困難であった。
【０００６】
そこで、本発明は、上述した従来技術の問題点を解決するためになされたものであり、使用者に超音波洗浄を行うタイミングを意識させることなく、水栓からの吐水の開始と超音波洗浄の開始とを連動させ、封水形成部内の封水水位よりも高い最大水位まで超音波洗浄を実行することができる排水システムを提供することを目的としている。
【課題を解決するための手段】
【０００７】
上述した課題を解決するために、本発明は、水を排水する排水システムであって、キッチンのシンクに水を吐水するキッチン用水栓と、上記キッチン用水栓から吐水される水を検知する検知部と、上記シンクの下流端と接続され、上記シンクに吐水された水を排水するとともに、吐水された水の一部を貯留させて第１水位で通常時の封水を形成する排水本体部と、上記キッチン用水栓から吐水される水により、水位を上記第１水位より高い洗浄時の封水の水位として設定された第２水位まで上昇させる水位上昇手段と、上記排水本体部内の水に超音波を発振する超音波発振器と、上記超音波発振器の発振を制御する制御装置と、を備え、上記制御装置は、封水の水位が上記第２水位となる期間のうち少なくとも一部の期間において上記超音波発振器による発振を行わせるように、上記検知部による吐水される水の検知と連動して、上記超音波発振器による発振を開始させることを特徴としている。
このように構成された本発明においては、制御装置は、封水の水位が第２水位となる期間のうち少なくとも一部の期間において超音波発振器による発振を行わせるように、検知部による吐水される水の検知と連動して、超音波発振器による発振を開始させる。このように、キッチン用水栓からの吐水、例えば、食器洗浄、手洗い、シンクの清掃等のための吐水の開始と超音波洗浄の開始とを連動させることで、使用者に超音波洗浄を行うタイミングを意識させることなく、排水口部分の洗浄を行うことができる。また、封水の水位を上昇させ、その水位が第２水位となっている期間のうち少なくとも一部の期間において超音波発振器による超音波洗浄を実行することにより、第１水位よりも高い排水口部分の汚れを洗浄することが可能となる。また、制御装置は、キッチン用水栓からの吐水の開始と超音波洗浄の開始とを連動させるので、排水システムは、超音波洗浄用の水を封水形成部に別途供給しなくとも、キッチン用水栓からの吐水、例えば食器洗浄、手洗い、シンクの清掃等のための吐水等の通常の使用態様の吐水を利用して超音波洗浄を行うことができる。さらに、排水システムは、キッチン用水栓からの吐水により供給された水を用いて超音波洗浄を行うことができる。このため、超音波洗浄用の水を供給するための専用の給水路の設置を、省略することができる。
【０００８】
本発明において、好ましくは、水を排水する排水システムであって、浴室の洗い場床に水を吐水する浴室用水栓と、上記浴室用水栓から吐水される水を検知する検知部と、上記洗い場床の下流端と接続され、上記洗い場床に吐水された水を排水するとともに、吐水された水の一部を貯留させて第１水位で通常時の封水を形成する排水本体部と、上記浴室用水栓から吐水される水により、封水の水位を、第１水位より高い洗浄時の封水の水位として設定された第２水位まで上昇させる水位上昇手段と、上記排水本体部内の水に超音波を発振する超音波発振器と、上記超音波発振器の発振を制御する制御装置と、を備え、上記制御装置は、封水の水位が上記第２水位となる期間のうち少なくとも一部の期間において上記超音波発振器による発振を行わせるように、上記検知部による吐水される水の検知と連動して、上記超音波発振器による発振を開始させる。
このように構成された本発明においては、制御装置は、封水の水位が第２水位となる期間のうち少なくとも一部の期間において超音波発振器による発振を行わせるように、検知部による吐水される水の検知と連動して、超音波発振器による発振を開始させる。このように、浴室用水栓からの吐水、例えば、身体洗い、浴室の清掃等のための吐水の開始と超音波洗浄の開始とを連動させることで、使用者に超音波洗浄を行うタイミングを意識させることなく、排水口部分の洗浄を行うことができる。また、封水の水位を上昇させ、その水位が第２水位となっている期間のうち少なくとも一部の期間において超音波発振器による超音波洗浄を実行することにより、第１水位よりも高い排水口部分の汚れを洗浄することが可能となる。また、制御装置は、浴室用水栓からの吐水の開始と超音波洗浄の開始とを連動させるので、排水システムは、超音波洗浄用の水を封水形成部に別途供給しなくとも、浴室用水栓からの吐水、例えば身体洗い、浴室の清掃等のための吐水等の通常の使用態様の吐水を利用して超音波洗浄を行うことができる。さらに、排水システムは、浴室用水栓からの吐水により供給された水を用いて超音波洗浄を行うことができる。このため、超音波洗浄用の水を供給するための専用の給水路の設置を、省略することができる。
【０００９】
本発明において、好ましくは、水を排水する排水システムであって、浴室の浴槽内に水を吐水する浴室用水栓と、上記浴室用水栓から吐水される水を検知する検知部と、上記浴槽の下流端と接続され、上記浴槽に吐水された水を排水するとともに、吐水された水の一部を貯留させて第１水位で通常時の封水を形成する排水本体部と、上記浴室用水栓から吐水される水により、封水の水位を、上記第１水位より高い洗浄時の封水の水位として設定された第２水位まで上昇させる水位上昇手段と、上記排水本体部内の水に超音波を発振する超音波発振器と、上記超音波発振器の発振を制御する制御装置と、を備え、上記制御装置は、封水の水位が上記第２水位となる期間のうち少なくとも一部の期間において上記超音波発振器による発振を行わせるように、上記検知部による吐水される水の検知と連動して、上記超音波発振器による発振を開始させる。
このように構成された本発明においては、制御装置は、封水の水位が第２水位となる期間のうち少なくとも一部の期間において超音波発振器による発振を行わせるように、検知部による吐水される水の検知と連動して、超音波発振器による発振を開始させる。このように、浴室用水栓からの吐水、例えば、浴槽の清掃、浴室の浴槽側の清掃等のための吐水の開始と超音波洗浄の開始とを連動させることで、使用者に超音波洗浄を行うタイミングを意識させることなく、排水口部分の洗浄を行うことができる。また、封水の水位を上昇させ、その水位が第２水位となっている期間のうち少なくとも一部の期間において超音波発振器による超音波洗浄を実行することにより、第１水位よりも高い排水口部分の汚れを洗浄することが可能となる。また、制御装置は、浴室用水栓からの吐水の開始と超音波洗浄の開始とを連動させるので、排水システムは、超音波洗浄用の水を封水形成部に別途供給しなくとも、浴室用水栓からの吐水、例えば浴槽の清掃、浴室の浴槽側の清掃等のための吐水等の通常の使用態様の吐水を利用して超音波洗浄を行うことができる。さらに、排水システムは、浴室用水栓からの吐水により供給された水を用いて超音波洗浄を行うことができる。このため、超音波洗浄用の水を供給するための専用の給水路の設置を、省略することができる。
【００１０】
本発明において、好ましくは、水を排水する排水システムであって、洗面ボウルに水を吐水する洗面用水栓と、上記洗面用水栓から吐水される水を検知する検知部と、上記洗面ボウルの下流端と接続され、上記洗面ボウルに吐水された水を排水するとともに、吐水された水の一部を貯留させて第１水位で通常時の封水を形成する排水本体部と、上記洗面用水栓から吐水される水により、封水の水位を、上記第１水位より高い洗浄時の封水の水位として設定された第２水位まで上昇させる水位上昇手段と、上記排水本体部内の水に超音波を発振する超音波発振器と、上記超音波発振器の発振を制御する制御装置と、を備え、上記制御装置は、封水の水位が上記第２水位となる期間のうち少なくとも一部の期間において上記超音波発振器による発振を行わせるように、上記検知部による吐水される水の検知と連動して、上記超音波発振器による発振を開始させる。
このように構成された本発明においては、制御装置は、封水の水位が第２水位となる期間のうち少なくとも一部の期間において超音波発振器による発振を行わせるように、検知部による吐水される水の検知と連動して、超音波発振器による発振を開始させる。このように、洗面用水栓からの吐水、例えば、手洗い、洗顔、歯磨き、洗面ボウルの清掃等のための吐水の開始と超音波洗浄の開始とを連動させることで、使用者に超音波洗浄を行うタイミングを意識させることなく、排水口部分の洗浄を行うことができる。また、封水の水位を上昇させ、その水位が第２水位となっている期間のうち少なくとも一部の期間において超音波発振器による超音波洗浄を実行することにより、第１水位よりも高い排水口部分の汚れを洗浄することが可能となる。
また、制御装置は、洗面用水栓からの吐水の開始と超音波洗浄の開始とを連動させるので、排水システムは、超音波洗浄用の水を封水形成部に別途供給しなくとも、洗面用水栓からの吐水、例えば手洗い、洗顔、歯磨き、洗面ボウルの清掃等のための吐水等の通常の使用態様の吐水を利用して超音波洗浄を行うことができる。さらに、排水システムは、洗面用水栓からの吐水により供給された水を用いて超音波洗浄を行うことができる。このため、超音波洗浄用の水を供給するための専用の給水路の設置を、省略することができる。
【００１１】
本発明において、好ましくは、水を排水する排水システムであって、水受け部に水を吐水する吐水部と、上記吐水部から吐水される水を検知する検知部と、上記水受け部の下流端と接続され、上記浴槽に吐水された水を排水するとともに、吐水された水の一部を貯留させて第１水位で通常時の封水を形成する排水本体部と、上記吐水部から吐水される水により、封水の水位を、上記第１水位より高い洗浄時の封水の水位として設定された第２水位まで上昇させる水位上昇手段と、上記排水本体部内の水に超音波を発振する超音波発振器と、上記超音波発振器の発振を制御する制御装置と、を備え、上記制御装置は、封水の水位が上記第２水位となる期間のうち少なくとも一部の期間において上記超音波発振器による発振を行わせるように、上記検知部による吐水される水の検知と連動して、上記超音波発振器による発振を開始させる。
このように構成された本発明においては、制御装置は、封水の水位が第２水位となる期間のうち少なくとも一部の期間において超音波発振器による発振を行わせるように、検知部による吐水される水の検知と連動して、超音波発振器による発振を開始させる。このように、吐水部からの吐水の開始と超音波洗浄の開始とを連動させることで、使用者に超音波洗浄を行うタイミングを意識させることなく、排水口部分の洗浄を行うことができる。また、封水の水位を上昇させ、その水位が第２水位となっている期間のうち少なくとも一部の期間において超音波発振器による超音波洗浄を実行することにより、第１水位よりも高い排水口部分の汚れを洗浄することが可能となる。また、制御装置は、吐水部からの吐水の開始と超音波洗浄の開始とを連動させるので、排水システムは、超音波洗浄用の水を封水形成部に別途供給しなくとも、吐水部からの通常の使用態様の吐水を利用して超音波洗浄を行うことができる。さらに、排水システムは、吐水部からの吐水により供給された水を用いて超音波洗浄を行うことができる。このため、超音波洗浄用の水を供給するための専用の給水路の設置を、省略することができる。
【００１２】
本発明において、好ましくは、上記制御装置は、封水の水位が上記第２水位となる期間の全てにわたって上記超音波発振器による発振を継続させる。
このように構成された本発明においては、制御装置は、封水の水位が第２水位となる期間の全てにわたって超音波発振器による発振を継続させる。これにより、封水の水位が第２水位となっている状態で超音波洗浄を比較的長い時間をかけて実行することができ。よって、第２水位までの部分についての洗浄効果を高めることができる。
【００１３】
本発明において、好ましくは、上記制御装置は、封水の水位が第２水位に到達するとき既に超音波発振器による発振を行わせている。
このように構成された本発明においては、制御装置は、封水水位が上記第２水位に到達するとき既に上記超音波発振器による発振を行わせている。これにより、制御装置は、封水水位が第２水位となっている期間の最初から超音波発振器による超音波洗浄を実行することができ、第２水位における超音波洗浄をより効果的に実行することができる。
【００１４】
本発明において、好ましくは、上記水位上昇手段は、上記排水本体部への水の流入がなくなった場合、自動的に上記封水の水位を上記第１水位まで下げるように形成される。
仮に排水本体部への水の流入がなくなった後も、封水の水位が第２水位に維持される場合には、追加的に生じた封水形成部への一時的な大量の排水等により、排水本体部内の水位が上昇して、水受け部、シンク、洗い場床、浴槽、洗面ボウル等まで汚れが逆流するおそれがある。
このように構成された本発明においては、水位上昇手段は、排水本体部への水の流入がなくなった場合、自動的に封水の水位を封水水位まで下げるように形成される。これにより、排水本体部への水の流入がなくなった後、封水の水位が第１水位まで下げられているので、追加的に生じた排水本体部への一時的な大量の排水等により、排水本体部内の水位が上昇して、水受け部、シンク、洗い場床、浴槽、洗面ボウル等まで汚れが逆流するおそれを低減することができる。
【００１５】
水が溜まりその動きが静止した状態では、この水に超音波を発振しても超音波の節と腹の位置が固定されてしまうため、場所によってその強弱が固定され、洗浄ムラが発生してしまう。そこで、本発明においては、好ましくは、上記制御装置は、封水の水位が上記第２水位まで上昇する前に上記超音波発振器による発振を開始させる。
このように構成された本発明においては、超音波発振器により超音波を発振させながら封水の水位を上昇するように変動させることができ、排水本体部または水受け部内の超音波の腹と節の位置を変化させることができ、超音波洗浄の洗浄力及び洗浄結果が位置によって不揃いとなる、いわゆる洗浄ムラを生じることを抑制することができる。
【００１６】
本発明において、好ましくは、上記制御装置は、封水の水位が上記第２水位から下降時又は上記第１水位まで下降後に上記超音波発振器による発振を停止させる。
このように構成された本発明においては、制御装置は、封水水位が第２水位からの下降時又は第１水位まで下降後に超音波発振器による発振を停止させる。これにより、超音波発振器により超音波を発振させながら封水の水位を下降するように変動させることができ、排水本体部または水受け部内における超音波の腹と節の位置を変化させることができる。これにより、超音波洗浄の洗浄力及び洗浄結果が位置によって不揃いとなる、いわゆる洗浄ムラを生じることを抑制することができる。また、封水の水位の下降時における水位の変化速度は、水位の上昇時における水位の変化速度に比べて安定しやすい。よって、比較的安定した速度で排水本体部または水受け部内における超音波の腹と節の位置を変化させることができ、超音波洗浄の洗浄力及び洗浄結果が位置によって不揃いとなる、いわゆる洗浄ムラを生じることをより抑制することができる。
【００１７】
本発明において、好ましくは、上記排水本体部よりも上方に、複数の孔を有するごみ捕捉部材を備え、上記第２水位は、上記ごみ捕捉部材の少なくとも一部に水が接する水位に設定されている。
このように構成された本発明においては、封水の水位を上昇させ、その水位が第２水位となっている期間のうち少なくとも一部の期間において超音波発振器による超音波洗浄を実行することにより、ごみ捕捉部材の少なくとも一部の汚れを洗浄することが可能となる。
【発明の効果】
【００１８】
本発明の排水システムによれば、使用者に超音波洗浄を行うタイミングを意識させることなく、水栓からの吐水の開始と超音波洗浄の開始とを連動させ、封水形成部内の封水水位よりも高い最大水位まで超音波洗浄を実行することができる。
【図面の簡単な説明】
【００１９】
【図１】本発明の第１実施形態による排水システムを正面から見た正面図である。
【図２】本発明の第１実施形態による排水システムを側面から見た側面図である。
【図３】図１のＩＩＩ−ＩＩＩ線に沿って見た拡大断面図である。
【図４】図３のＩＶ−ＩＶ線に沿って見た断面図である。
【図５】図３のＶ−Ｖ線に沿って見た断面図である。
【図６】本発明の第１実施形態による排水システムの構造を概略的に示すブロック図である。
【図７】本発明の第１実施形態による排水システムの待機状態において汚れを含む水が流入した状態を示す部分拡大断面図である。
【図８】本発明の第１実施形態による排水システムの排水本体部に水の流入が開始された状態を示す部分拡大断面図である。
【図９】本発明の第１実施形態による排水システムの排水本体部にさらに水が流入し、流入した水が第２排水流路を介して出口流路に流出されると共に、第１排水流路の上昇部内の水位を上昇させる状態を示す部分拡大断面図である。
【図１０】本発明の第１実施形態による排水システムの排水本体部にさらに水が流入し、第１排水流路内の水位が最大水位まで到達した状態を示す部分拡大断面図である。
【図１１】本発明の第１実施形態による排水システムの排水本体部への水の流入が停止し、第２排水流路の入口より上方の水が第２排水流路を介して出口流路に流出され、第１排水流路内の水位が徐々に低下する状態を示す部分拡大断面図である。
【図１２】本発明の第１実施形態による排水システムにおいて一連の洗浄動作の終了後に待機状態に戻った様子を示す部分拡大断面図である。
【図１３】本発明の第１実施形態による排水システムにおける制御装置の制御内容を示すフローチャートである。
【図１４】本発明の第１実施形態による排水システムにおいて、流量センサによる吐水の検知状態、排水本体部内の水位、超音波発振器の作動状態を示すタイミングチャートである。
【図１５】本発明の第１実施形態による排水システムの第１変形例における制御装置の制御内容を示すフローチャートである。
【図１６】本発明の第１実施形態による排水システムの第１変形例において、流量センサによる吐水の検知状態、排水本体部内の水位、超音波発振器の作動状態を示すタイミングチャートである。
【図１７】本発明の第１実施形態による排水システムの第２変形例における制御装置の制御内容を示すフローチャートである。
【図１８】本発明の第１実施形態による排水システムの第２変形例において、流量センサによる吐水の検知状態、排水本体部内の水位、超音波発振器の作動状態を示すタイミングチャートである。
【図１９】本発明の第１実施形態による排水システムの第３変形例における制御装置の制御内容を示すフローチャートである。
【図２０】本発明の第１実施形態による排水システムの第３変形例において、流量センサによる吐水の検知状態、排水本体部内の水位、超音波発振器の作動状態を示すタイミングチャートである。
【図２１】本発明の第２実施形態による排水システムを備えた浴室の斜視図である。
【図２２】図２１のＸＸＩＩ−ＸＸＩＩ線に沿って見た浴室の床面近傍部分の部分拡大断面図である。
【図２３】本発明の第３実施形態による排水システムを備えた浴室の斜視図である。
【図２４】図２３のＸＸＩＶ−ＸＸＩＶ線に沿って見た浴室の床面近傍部分の部分拡大断面図である。
【図２５】本発明の第４実施形態による排水システムを備えた洗面用水栓装置の斜視図である。
【図２６】図２５のＸＸＶＩ−ＸＸＶＩ線に沿って見た洗面用水栓装置の洗面ボウルの床面近傍部分の部分拡大断面図である。
【図２７】本発明の第１実施形態による排水システムの第４変形例における排水本体部において弁体が開状態となっている様子を示す拡大断面図である。
【図２８】本発明の第１実施形態による排水システムの第４変形例における排水本体部において弁体が流路断面積減少状態となっている様子を示す拡大断面図である。
【図２９】本発明の第１実施形態による排水システムの第５変形例における排水本体部において排水流路の頂部が低位置状態となっている様子を示す拡大断面図である。
【図３０】本発明の第１実施形態による排水システムの第５変形例における排水本体部において排水流路の頂部が高位置状態となっている様子を示す拡大断面図である。
【発明を実施するための形態】
【００２０】
以下では、本明細書に開示する本発明の実施の形態について、図面を用いて詳細に説明する。以下の説明から、当業者にとって、本発明の多くの改良や他の実施の形態が明らかである。従って、以下の説明は、例示としてのみ解釈されるべきであり、本発明を実行する最良の態様を当業者に教示する目的で提供されたものである。本発明の精神を逸脱することなく、その構造及び／又は機能の詳細を実質的に変更することができる。
【００２１】
以下、添付図面を参照して本発明の第１実施形態による排水システムについて説明する。
図１は本発明の第１実施形態による排水システムを正面から見た正面図であり、図２は本発明の第１実施形態による排水システムを側面から見た側面図である。
図１及び図２に示すように、本発明の第１実施形態による排水システム１は、キッチンに設けられ、超音波洗浄を行うシステムである。排水システム１は、超音波洗浄機能付きのシステムである。排水システム１は、キッチンシステム以外の他のシステムであってもよい。
【００２２】
排水システム１は、キッチン２に設けられた水受け部であるシンク４と、このシンク４に水（湯水）を吐水するキッチン用水栓であるキッチン用水栓装置（吐水部）６と、シンク４の底部４ａの下流端と接続される排水本体部８とを備えている。
シンク４は、キッチン用水栓装置６から吐水された水を下流側に排出するように形成される。
キッチン用水栓装置６は、上流側において、給水源（図示せず）から水が供給される水給水路９及び、湯が供給される湯給水路１１に接続される。キッチン用水栓装置６は、湯水混合栓６ａを備え、水給水路９からの水と、湯給水路１１からの湯とを混合し、吐水部６ｂから吐水させる。水給水路９及び湯給水路１１は、一旦上方に延び、湯水混合栓６ａに接続され、吐水側流路６ｃが湯水混合栓６ａから下方側に延び、後述する流量センサ２０を通り、吐水部６ｂまで再び上昇して延びている。
【００２３】
次に、図３を参照して、本発明の第１実施形態による排水システムの排水本体部について説明する。
図３は図１のＩＩＩ−ＩＩＩ線に沿って見た断面図であり、図４は図３のＩＶ−ＩＶ線に沿って見た断面図であり、図５は図３のＶ−Ｖ線に沿って見た断面図である。
排水本体部８は、シンク４側に開口される入口部１０と、入口部１０の下流側に設けられるトラップ形状の流路である第１排水流路１２と、第１排水流路１２から分岐される第２排水流路１４と、一定の大きさの汚れが第２排水流路１４に侵入することを抑制する侵入抑制部１６を備えている。排水本体部８は、シンク４に吐水された水を排水するとともに、吐水された水の一部を貯留させてその内部に封水水位Ｗ２で通常時の封水を形成する封水形成部として機能する。入口部１０は、底部４ａの一部が底面４ｂよりも下方に窪むことにより形成されている。排水本体部８の入口部１０は、排水口部分においてシンク４の底部４ａのくぼみ形状により形成されている。排水本体部８内に流入する水には、洗剤、シャンプー、ボディーソープ、食器の汚れ、シンクの汚れ等のいずれかを含むような水、例えば生活排水も含まれる。
ここで本明細書において「封水」とは、臭気などを遮断するための排水本体部や水受け部内に設けられる、トラップにより水が満たされた部分をいう。また「通常時の封水」とは、キッチン用水栓等の吐水部から水の吐水を行わない吐水部の不使用時（待機状態）における期間の封水をいい、「洗浄時の封水」とは、排水本体部や水受け部を超音波を用いて洗浄する際の封水をいう。
【００２４】
排水本体部８は、第３水位Ｗ３（図８参照）の高さにおいて上方側に向かって拡径される拡径部８ａを形成している。拡径部８ａは、排水本体部８の下方側部分よりも外周方向に広がった部分に壁面を形成している。後述する超音波発振器２２から直進する超音波が拡径部８ａまで回折するように回り込むことから拡径部８ａにおいては超音波洗浄の能力が低下しやすくなる。よって、拡径部８ａは、排水本体部８の汚れを洗浄しにくくなる部分を形成している。
【００２５】
侵入抑制部１６は、後述する第２排水流路１４の入口部１４ａに形成されている。侵入抑制部１６は、板状体に複数の貫通孔３２を形成している。侵入抑制部１６は、一定の大きさ及び形状の汚れ（例えば小物体状の汚れ）の侵入を抑制すると共に通過する汚れの大きさを制限できる。
【００２６】
再び、図３及び図６を参照して、本発明の第１実施形態による排水システムについて説明する。
図６は本発明の第１実施形態による排水システムの構造を概略的に示すブロック図である。
排水システム１は、さらに、入口部１０の上方を覆うように配置される蓋１８と、キッチン用水栓装置６から吐水される水を検知する検知部である流量センサ２０と、排水本体部８内の水に超音波を発振する超音波発振器２２と、超音波発振器２２の作動を制御する制御装置２４と、排水本体部８の第１排水流路１２の下流側に設けられる出口流路２６と、排水本体部８内の流路上に設けられ且つ網目を有する網かご２８とを備えている。入口部１０及び排水本体部８はシンク４の排水口部分を形成している。
【００２７】
蓋１８には、水やごみ等の小物体が流入する孔（図示せず）が形成されている。
流量センサ２０は、キッチン用水栓装置６の湯水混合栓６ａと吐水部６ｂとの間に設けられる。流量センサ２０は、キッチン用水栓装置６の吐水部６ｂから吐水される水の単位時間あたりの流量を検知できる。また、流量センサ２０は、単位時間あたりの流量を検知することにより、吐水部６ｂから吐水がなされることを検知できる。流量センサ２０は、制御装置２４と電気的に接続されている。
【００２８】
超音波発振器２２は、排水本体部８内の入口部１０の下方に設けられている。超音波発振器２２は、排水本体部８の底部に設けられ、上方に向けて電波を発振するように配置されている。超音波発振器２２は、発振中の発振周波数を一定に維持している。超音波発振器２２は、制御装置２４と電気的に接続されている。
【００２９】
制御装置２４は、ＣＰＵ及びメモリ等を内蔵し、流量センサ２０から送信される検知信号を受信する機能を有すると共にメモリに記憶された所定の制御プログラム等に基づいて超音波発振器２２の動作を制御する。制御装置２４は、超音波発振器２２による超音波の発振及び発振の停止を制御する。制御装置２４は、流量センサ２０による吐水される水の検知と連動して、超音波発振器２２による発振を開始させる超音波洗浄モードを備え、この超音波洗浄モードにより、キッチン用水栓装置６からの吐水の開始と超音波洗浄の開始とを連動させることができる。
【００３０】
網かご２８は、排水本体部８の上流側部分に配置されている。網かご２８は、上記排水本体部８よりも上方に配置されている。網かご２８は、入口部１０の下方側の流路全体を覆うように形成される。網かご２８は、底部４ａの下方に窪んだ窪みの内部に配置される。網かご２８の上端は入口部１０に配置されている。網かご２８は、水を通過させる一方、ごみ等の小物体を通過させずに網かご２８内に留めるようになっている。網かご２８は、ごみ等を補足する機能を有する任意の形状のごみ捕捉部材に変更可能である。
【００３１】
出口流路２６は、第１排水流路１２の下流端に接続され、鉛直方向下方に延びている。出口流路２６は、さらに下流側の排水配管（図示せず）に接続される。出口流路２６は、その一部が排水本体部８によって形成されていてもよい。
【００３２】
次に、図３乃至図５を参照して、本発明の第１実施形態による排水システムの第１排水流路１２及び第２排水流路１４について説明する。
排水システム１の排水本体部８の第１排水流路１２は、入口部１０の下方に接続される接続部１２ａと、排水トラップを形成するように下流側に向けて斜め上方に上昇する上昇流路である第１排水流路上昇部１２ｂと、第１排水流路上昇部１２ｂと下降部１２ｄとの間において排水トラップの第１排水流路上昇部１２ｂと接続する折り返し部分である頂部１２ｃと、第１排水流路上昇部１２ｂの下流側に設けられ且つ頂部１２ｃから下降する下降流路である下降部１２ｄとを備えている。下降部１２ｄは出口流路２６と接続される。
【００３３】
第１排水流路１２は、第１排水流路上昇部１２ｂから下降部１２ｄに向けて折り返すトラップ形状の流路である。下降部１２ｄは第１排水流路上昇部１２ｂの下流端に接続され且つほぼ鉛直方向下方に延びるように形成されている。排水本体部８の内部の接続部１２ａ、第１排水流路上昇部１２ｂ及び第２排水流路１４において後述するように封水が形成され、第１水位である封水水位Ｗ２（図７参照）が規定される。また、第１排水流路１２は、トラップ形状の流路の頂部１２ｃにより入口部１０の高さ以下の最大水位Ｗ１（図１０参照）を規定するように構成されている。最大水位Ｗ１は、洗浄時の封水の水位として設定された第２水位である。最大水位Ｗ１は、網かご２８の底面よりも高い位置、例えば網かご２８の上部に規定されている。最大水位Ｗ１は、網かご２８の少なくとも一部に水が接する水位に設定されている。最大水位Ｗ１は、網かご２８の上方に規定されていてもよい。第１排水流路１２の頂部１２ｃが、排水本体部８の入口部１０の高さに設けられることにより、第１排水流路１２により規定される最大水位Ｗ１は、排水本体部８の入口部１０の高さとされる。第１排水流路１２は、後述する単位時間あたりの第２排水量よりも大きな単位時間あたりの第１排水量を出口流路２６に排水できるような第１の流路断面積Ｄ１に形成されている。第１の流路断面積Ｄ１は、第１排水流路１２の流路断面積のうち最小の流路断面積である。
【００３４】
第２排水流路１４は、第１排水流路１２の頂部１２ｃより上流側に設けられた第２排水流路１４の入口部１４ａから頂部１２ｃより下流側に設けられた出口部１４ｂまで延びるバイパス流路を形成する。第２排水流路１４は、入口部１４ａから下流側に向けて斜め上方に上昇する第２排水流路上昇部１４ｈと、入口部１４ａと出口部１４ｂとの間において最も高い部分を形成し且つ折り返し部分を形成する頂部１４ｃと、頂部１４ｃから下降する第２排水流路下降部１４ｉとを備えている。
【００３５】
第２排水流路１４の入口部１４ａは、第１排水流路１２の第１排水流路上昇部１２ｂの下面に接続されている。出口部１４ｂは、出口流路２６の側壁に接続されている。
【００３６】
第２排水流路１４は、入口部１４ａと出口部１４ｂとの間に最も高い部分を形成し且つ折り返し部分を形成する頂部１４ｃを形成している。第２排水流路１４は、頂部１４ｃにより排水本体部８内の封水水位Ｗ２（図７参照）を規定する。なお、第２排水流路１４は、例えば第２排水流路１４の中間部分又はその出口が流路の最も高い部分を構成することにより封水水位Ｗ２を規定するように構成されてもよい。また、封水水位Ｗ２は、第２排水流路１４以外の構成により規定されていてもよい。封水水位Ｗ２は、網かご２８より下方に規定される。封水水位Ｗ２は、第１排水流路上昇部１２ｂの中央近傍又は下側部分に位置し、排水本体部８の中央近傍又は下側部分に位置している。
【００３７】
第２排水流路１４は、さらに、その流路の一部を絞る絞り部３０を備えている。第２排水流路１４の入口部１４ａから絞り部３０の直前までの流路の高さは、ほぼ一定の高さＨ１である。第２排水流路１４の絞り部３０の流路の高さは、高さＨ１よりも低い高さＨ２である。
【００３８】
図４に示すように、第２排水流路１４の入口部１４ａの流路断面は、扁平形状に形成されている。入口部１４ａの流路断面は、長方形形状である。第２排水流路１４は、その入口部１４ａから絞り部３０までの流路の幅が徐々に小さくなるように形成されている。
第２排水流路１４は、絞り部３０において、単位時間あたりに第２排水量を出口流路２６に排水できるような第２の流路断面積Ｄ２に形成されている。第２の流路断面積Ｄ２は、第２排水流路１４の流路断面積のうち最小の流路断面積である。第２排水流路１４の第２の流路断面積Ｄ２は第１排水流路１２の第１の流路断面積Ｄ１よりも小さい。よって、第２排水流路１４は、絞り部３０により第１排水流路１２よりも大きな流路抵抗を有するように形成されている。第２排水流路１４は、第２排水流路１４の絞り部３０の単位時間あたりの第２排水量を超える単位時間あたりの流入量の水が排水本体部８内に流入する場合に、排水本体部８内の水位を、封水水位Ｗ２より高く且つ第１排水流路１２により規定される最大水位Ｗ１まで少なくとも上昇させるように機能する。
【００３９】
侵入抑制部１６の複数の貫通孔３２のうちの各貫通孔３２の流路断面積は、第２排水流路１４の絞り部３０の第２の流路断面積Ｄ２よりも小さい。
【００４０】
第１排水流路１２及び第２排水流路１４は、排水本体部８内の水位が最大水位Ｗ１を超えないように、排水本体部８内に流入する水を出口流路２６に排水させる排水手段として機能する。少なくとも第１排水流路１２は、排水本体部８内の水位が最大水位Ｗ１を超えないように、第１排水流路１２内の水を出口流路２６に排水させるように機能する。排水手段は、第１排水流路１２及び第２排水流路１４により、排水本体部８内の水位が最大水位Ｗ１に到達した場合、排水本体部８から出口流路２６に流出する水の単位時間あたりの排水量が排水本体部８内に流入する水の単位時間あたりの流入量以上にされるように形成されている。排水手段は、排水本体部８内に水が第２排水量を超える流入量でさらに流入されている間、排水本体部８内の水位を最大水位Ｗ１に維持するように形成されている。
【００４１】
第１排水流路１２及び第２排水流路１４は、キッチン用水栓装置６から吐水される水により、封水の水位を、第１排水流路上昇部１２ｂ内の封水水位Ｗ２より高い洗浄時の封水の水位として設定された最大水位Ｗ１まで上昇させる水位上昇手段として機能する。少なくとも第２排水流路１４は、絞り部３０の単位時間あたりの第２排水量を超える単位時間あたりの流入量の水が排水本体部８内に流入する場合に、排水本体部８内の水位を、封水水位Ｗ２より高く且つ最大水位Ｗ１まで少なくとも上昇させるように機能する。
【００４２】
次に、図７乃至図１２により、上述した本発明の第１実施形態による排水システムの動作（作用）を説明する。
図７は本発明の第１実施形態による排水システムの待機状態において汚れを含む水が流入した状態を示す部分拡大断面図であり、図８は本発明の第１実施形態による排水システムの排水本体部に水の流入が開始された状態を示す部分拡大断面図であり、図９は本発明の第１実施形態による排水システムの排水本体部にさらに水が流入し、流入した水が第２排水流路を介して出口流路に流出されると共に、第１排水流路の上昇部内の水位を上昇させる状態を示す部分拡大断面図であり、図１０は本発明の第１実施形態による排水システムの排水本体部にさらに水が流入し、第１排水流路内の水位が最大水位まで到達した状態を示す部分拡大断面図であり、図１１は本発明の第１実施形態による排水システムの排水本体部への水の流入が停止し、水が第２排水流路を介して出口流路に流出され、第１排水流路内の水位が徐々に低下する状態を示す部分拡大断面図であり、図１２は本発明の第１実施形態による排水システムにおいて一連の洗浄動作の終了後に待機状態に戻った様子を示す部分拡大断面図である。図７乃至図１２において、排水本体部内において水が貯留している部分を点線により図示している。
【００４３】
図７には、キッチン用水栓装置６から吐水がなされる前の待機状態が示されている。待機状態においては排水本体部８内の水位は第１排水流路１２の第１排水流路上昇部１２ｂ及び接続部１２ａ及び第２排水流路１４において封水水位Ｗ２となっている。接続部１２ａと第１排水流路上昇部１２ｂとの間の天井部１２ｆが封水水位Ｗ２より下方に位置するので、待機状態において、出口流路２６と入口部１０とが空気的に遮断され、臭気が出口流路２６から入口部１０に上がってくることが確実に防止されている。待機状態においては、キッチン用水栓装置６は止水された状態であり、超音波発振器２２も停止された状態である。待機状態において、使用者が汚れＥを含むような水をシンク４に流すと、この水が排水本体部８に流入する。例えば、図７に示すように、汚れＥが接続部１２ａ、入口部１０、網かご２８等に付着した状態となる。
【００４４】
図８に示すように、キッチン用水栓装置６からの吐水が行われると、矢印Ｆ１に示すように、水がシンク４の底面４ｂから蓋１８を通って入口部１０に流入する。矢印Ｆ２に示すように、入口部１０に流入した水は、網かご２８を通過してさらに流下する。次いで、矢印Ｆ３に示すように、網かご２８から流下する水は、第１排水流路１２の接続部１２ａ内に供給される。矢印Ｆ４に示すように、接続部１２ａ内に供給された水は、侵入抑制部１６から第２排水流路１４の入口部１４ａに流入する。
【００４５】
矢印Ｆ５に示すように、第２排水流路１４の入口部１４ａに流入した水は、上昇して絞り部３０を通過する。矢印Ｆ６に示すように、絞り部３０を通過した水は頂部１４ｃを超えて出口部１４ｂに至る。矢印Ｆ７に示すように、出口部１４ｂから流出する水は、出口流路２６に排水される。第２排水流路１４は、単位時間あたりに第２排水量を出口流路２６に排水できる。
【００４６】
絞り部３０の単位時間あたりの第２排水量（又は一定時間あたりの総排水量）を超える単位時間あたりの流入量（又は一定時間あたりの総流入量）の水が排水本体部８内に流入する場合、水が第２排水流路１４から流出しきれず、排水本体部８内に貯留する。よって、矢印Ｆ８に示すように、第１排水流路１２及び第２排水流路１４により、排水本体部８内に流入する水を第２排水流路１４を介して出口流路２６に流出させながら排水本体部８の接続部１２ａ及び第１排水流路上昇部１２ｂ内の水位を自動的に上昇させる。このとき、使用者の操作がなくとも水位が自動的に上昇する。第２排水流路１４は、その流路の一部を絞る絞り部３０を備えているので、単位時間当たりの第２排水量を比較的低く抑制することができ、比較的少量の水によって第１排水流路上昇部１２ｂ内の水位を上昇させることができる。
【００４７】
図８においては、排水本体部８内の水位は第３水位Ｗ３となっている。排水本体部８は、第３水位Ｗ３において排水本体部８の汚れを洗浄しにくくなる拡径部８ａを形成している。よって、後述するように、制御装置２４は、水位が第３水位Ｗ３以上となる場合に、超音波発振器２２による発振を開始させ、拡径部８ａを洗浄する時間を比較的長くし、拡径部８ａ側の超音波洗浄能力を向上させる。
【００４８】
図９において矢印Ｆ９に示すように、さらに水が排水本体部８内に流入するとき、排水本体部８内に流入する水が、矢印Ｆ１０に示すように第２排水流路１４を介して出口流路２６に流出されると共に、矢印Ｆ１１に示すように排水本体部８の接続部１２ａ及び第１排水流路上昇部１２ｂ内の水位を上昇させる。
【００４９】
図１０において矢印Ｆ１２に示すように、さらに水が排水本体部８内に流入するとき、第１排水流路１２の第１排水流路上昇部１２ｂ内の水位が第１排水流路１２の頂部１２ｃにより規定される最大水位Ｗ１まで上昇される。第１排水流路１２内の水位が最大水位Ｗ１まで到達した状態においては、排水本体部８内に流入する水が、矢印Ｆ１３に示すように第２排水流路１４を介して出口流路２６に流出されると共に、矢印Ｆ１４に示すように第１排水流路１２の頂部１２ｃから下降部１２ｄに流出される。
【００５０】
図１０において、第１排水流路１２内の水位が最大水位Ｗ１に到達した状態から、排水本体部８内に水が第２排水量を超える流入量でさらに流入されても、排水本体部８内の水位は最大水位Ｗ１に維持される。このとき、最大水位Ｗ１は、入口部１０の高さであり、網かご２８の上部に位置する。矢印Ｆ１３に示すように、第２排水流路１４からの排水は継続している。排水本体部８の入口部１０以下の高さにある汚れＥが付着しやすい流路部分、例えば入口部１０、網かご２８、第２排水流路１４の入口部１４ａ、第２排水流路上昇部１４ｈ及び絞り部３０、侵入抑制部１６、第１排水流路１２の接続部１２ａ、第１排水流路上昇部１２ｂ及び頂部１２ｃ等が概ね水に浸かっている。
【００５１】
制御装置２４は、後述するように排水本体部８内の水位が最大水位Ｗ１となる期間のうち少なくとも一部の期間において超音波発振器２２による発振を行わせる。これにより、排水本体部８の概ね全体に超音波Ｋを発振して超音波洗浄を行うことができ、さらに排水本体部８内の汚れＥが付着しやすい流路部分、例えば入口部１０、網かご２８、拡径部８ａ、侵入抑制部１６、第２排水流路１４の入口部１４ａ及び絞り部３０等に超音波洗浄を行うことができる。
【００５２】
第１排水流路１２及び第２排水流路１４は、排水本体部８内の水位が最大水位Ｗ１を超えないように、排水本体部８内に流入する水を出口流路２６に排水させている。これにより、排水本体部８内の水位が最大水位Ｗ１を超えて、排水本体部８内の水が入口部１０からシンク４の底面４ｂに溢れ出てしまうことを防止することができる。
第２排水流路１４の単位時間あたりの第２排水量を超える単位時間あたりの流入量の水が排水本体部８内に流入し続ける場合において、単位時間あたりの流入量が第２排水流路１４の単位時間あたりの第２排水量及び第１排水流路１２の単位時間あたりの第１排水量の合計値を超えない限り、排水本体部内の水位の上昇を封水水位Ｗ２から最大水位Ｗ１までの間に制御することができる。なお、第２排水流路１４の単位時間あたりの第２排水量及び第１排水流路１２の単位時間あたりの第１排水量の合計値は、キッチン用水栓装置６の通常の使用態様においてキッチン用水栓装置６から供給される水の供給量が、この合計値を超えないような値として設定されている。
【００５３】
さらに、本実施形態においては、使用者の従来の排水流路に設けられた排水弁等の閉止操作を不要とし、排水本体部８内に水が供給されることにより、第１排水流路１２及び第２排水流路１４の構成に基づいて、排水本体部８内の水位が最大水位Ｗ１まで自動的に到達し、入口部１０及び網かご２８等まで自動的に超音波洗浄を行うことができる。
【００５４】
図１１に示すように、排水本体部８内への水の流入がなくなる又は水の流量が低下されるとき、矢印Ｆ１５及びＦ１６に示すように、第２排水流路１４の頂部１４ｃより上方の水が第２排水流路１４を介して出口流路２６に流出され、矢印Ｆ１７に示すように、第１排水流路１２の接続部１２ａ及び第１排水流路上昇部１２ｂの水位が徐々に低下する。第２排水流路１４は、水位が頂部１４ｃより上方にある場合には、排水を継続している。このように、水位上昇手段として機能する第１排水流路１２及び第２排水流路１４は、排水本体部８への水の流入がなくなった場合、自動的に排水本体部８内の水位を封水水位Ｗ２まで下げるように形成される。
【００５５】
図１２に示すように、排水本体部８内への水の流入がなくなり、第１排水流路１２の接続部１２ａ及び第１排水流路上昇部１２ｂの水位が第２排水流路１４の頂部１４ｃまで低下すると、第２排水流路１４からの水の流出が終了し、排水システム１は待機状態に戻る。このとき排水本体部８内の水位は封水水位Ｗ２となっている。
【００５６】
次に、図１３及び図１４により、上述した本発明の第１実施形態による排水システムの超音波発振器２２の動作（作用）を説明する。
図１３は、本発明の一実施形態による排水システムにおける制御装置の制御内容を示すフローチャートである。
図１４は、本発明の一実施形態による排水システムにおいて、流量センサによる吐水の検知状態、排水本体部内の水位、超音波発振器の作動状態を示すタイミングチャートである。図１３において、Ｓは各ステップを示している。
【００５７】
図１４に示すように、処理のスタート時の時刻ｔ０において、キッチン用水栓装置６は、吐水がなされる前の待機状態となっている。排水本体部８内においては水が封水水位Ｗ２（図７参照）に貯留された状態となっている。
最初に、図１３のＳ１において、制御装置２４は、流量センサ２０による水の検知がなされたか否かを判定する。
流量センサ２０による吐水される水の検知がなされた場合（図１４の時刻ｔ１に例示するように検知状態がＯＮとなる場合）には、制御装置２４は、キッチン用水栓装置６の吐水部６ｂからの吐水が開始されたと判断できるので、Ｓ２に進む。
流量センサ２０による吐水される水の検知がなされていない場合（図１４の時刻ｔ３に例示するように検知状態がＯＦＦとなる場合）には、制御装置２４は、キッチン用水栓装置６の吐水部６ｂからの吐水が終了した又は停止状態のままであると判断できるので、Ｓ５に進む。
【００５８】
次に、Ｓ２において、制御装置２４は、流量センサ２０により検知した水の流量から排水本体部８内の水位を計算する。具体的には、流量センサ２０により検知した水の単位時間あたりの流量に吐水している時間を乗じて、排水本体部８内に流入する水の水量を算出し、この流入する水量から第２排水流路１４からの排水流量を控除して排水本体部８内の水位を計算する。よって、制御装置２４は、排水本体部８内の水位を比較的正確に算定及び想定することができる。
【００５９】
次に、図１３のＳ３において、制御装置２４は、Ｓ２における計算により排水本体部８内の水位が第３水位Ｗ３に到達したか否かを判定する。
図１４の時刻ｔ２に示すように、排水本体部８内の水位が第３水位Ｗ３に到達した場合には、制御装置２４は、超音波洗浄を行うことにより拡径部８ａを洗浄する時間を比較的長くし、拡径部８ａ側の超音波洗浄能力を向上させることができると判断できるので、超音波発振器２２による発振を開始させるため、Ｓ４に進む。
排水本体部８内の水位が第３水位Ｗ３に到達していない場合には、制御装置２４は、超音波発振器２２による発振を抑制することにより超音波発振器２２の耐久性の低下を抑制することができると判断できるので、Ｓ１に戻る。
【００６０】
次に、Ｓ４において、制御装置２４は、超音波発振器２２により超音波を発振（ＯＮ状態）させる（時刻ｔ２）。制御装置２４は、続いて、Ｓ１に戻る。制御装置２４は、流量センサ２０による水の検知がなされている間は、Ｓ１、Ｓ２、Ｓ３及びＳ４の判定及び処理を繰り返している。以後、制御装置２４は、超音波発振器２２により超音波を継続して発振させている。また、超音波発振器２２により発振される超音波は一定の周波数に保たれている。
【００６１】
なお、変形例としてＳ３及びＳ４は、制御装置２４は、Ｓ２における計算により求められる排水本体部８内の水位が上昇を開始するとき（時刻ｔ２’）に超音波を発振させるようにしてもよい。水位上昇の開始時点から超音波を発振させることにより、後述する水位上昇中の洗浄ムラを抑制する超音波洗浄を有効に行わせることができる。
【００６２】
図１４に示すように、制御装置２４は、時刻ｔ１における流量センサ２０による吐水される水の検知と連動して、時刻ｔ２において超音波発振器２２による発振を開始させ、排水本体部８内の水位が最大水位Ｗ１となる期間のうち少なくとも一部の期間において超音波発振器２２による発振を行わせている。
また、制御装置２４は、排水本体部８内の水位が最大水位Ｗ１まで上昇する前に超音波発振器２２による発振を開始させている。なお、発振された超音波は水面によって跳ね返ってくる超音波との間で干渉され、超音波の腹と節とが形成される。超音波の節においては、超音波洗浄能力がやや低下する一方、超音波の腹においては、超音波洗浄能力がやや増大する。水位（水面）の位置が変化する（上昇又は下降する）場合に、干渉した超音波の腹と節との位置が変化するので、比較的洗浄能力の低い節の位置が同じ位置に留まることなく、変化することができる。このように、制御装置２４は、水位上昇中の洗浄ムラを抑制する超音波洗浄を有効に行うことができる。また、制御装置２４は、排水本体部８内の水位が最大水位Ｗ１に到達するとき既に超音波発振器２２による発振を行わせている。また、制御装置２４は、封水の水位が最大水位Ｗ１となる期間の全てにわたって超音波発振器２２による発振を継続させている。
【００６３】
図１３のＳ１においてキッチン用水栓装置６からの吐水が終了されると、Ｓ５に進む（図１４の時刻ｔ３）。
Ｓ５において、制御装置２４は、超音波発振器２２により超音波が発振されているか否かを判定する。
超音波発振器２２により超音波が発振されている場合には、制御装置２４は、キッチン用水栓装置６からの吐水の停止に伴い、排水本体部８内の水位の低下中に洗浄ムラを生じにくい洗浄を行わせるため、Ｓ６に進む。
超音波発振器２２により超音波が発振されていない場合には、制御装置２４は、キッチン用水栓装置６からの吐水が停止されており、超音波発振器２２も停止された待機状態であると判断できるので、リターンに進み、スタートに戻る。
【００６４】
次に、Ｓ６において、制御装置２４は、流量センサ２０により検知した吐水停止からの経過時間により排水本体部８内の水位を計算する。具体的には、流量センサ２０が吐水停止を検知した状態においては、水位が最大水位Ｗ１となっており、最大水位Ｗ１の貯水量から第２排水流路１４からの排水流量を控除して排水本体部８内の水位を計算する。よって、制御装置２４は、時間経過に伴う排水本体部８内の水位を比較的正確に想定することができる。
【００６５】
次に、Ｓ７において、制御装置２４は、排水本体部８内の水位が封水水位Ｗ２に到達したか否かを判定する。
図１４の時刻ｔ４に示すように、排水本体部８内の水位が封水水位Ｗ２に到達した場合には、制御装置２４は、水位下降中の洗浄ムラを抑制する超音波洗浄を有効に行った上で、超音波発振器２２の耐久性を低下させにくくすることを両立するため、以後超音波発振器２２を停止させることが有効であると判断できるので、Ｓ８に進む。
排水本体部８内の水位が封水水位Ｗ２に到達していない場合には、制御装置２４は、超音波発振器２２による発振を継続することにより、水位下降中の洗浄ムラを抑制する超音波洗浄を有効に行うことができると判断できるので、リターンに進み、スタートに戻る。制御装置２４は、流量センサ２０が吐水停止を検知し且つ超音波発振器２２による発振が継続している間は、排水本体部８内の水位が封水水位Ｗ２に到達するまで、Ｓ１、Ｓ５、Ｓ６及びＳ７の判定及び処理を繰り返す。
【００６６】
次に、Ｓ８において、制御装置２４は、超音波発振器２２による超音波の発振を停止（ＯＦＦ状態）させる。制御装置２４は、Ｓ８の実行後、リターンに進み、スタートに戻る。
制御装置２４は、超音波発振器２２の耐久性を低下させにくくするため、排水本体部８内の水位が最大水位Ｗ１からの下降時（例えば下降中の時刻ｔ４’）に超音波発振器による発振を停止させてもよい。なお、排水本体部８内の水位の下降時は、水位の下降中及び排水本体部８内の水位が封水水位Ｗ２に到達したとき（ほぼ同時のタイミング）を含む。
【００６７】
次に、図１５及び図１６により、上述した本発明の第１実施形態による排水システムの第１変形例の超音波発振器２２の動作を説明する。本発明の第１実施形態による排水システムの第１変形例の動作（作用）について、第１実施形態による排水システム１の動作（作用）と異なる点のみを説明し、同様の部分については説明を省略する。
図１５は、本発明の一実施形態による排水システムの第１変形例における制御装置の制御内容を示すフローチャートである。
図１６は、本発明の一実施形態による排水システムの第１変形例において、流量センサによる吐水の検知状態、排水本体部内の水位、超音波発振器の作動状態を示すタイミングチャートである。図１５において、Ｓは各ステップを示している。
【００６８】
図１５に示すように、処理のスタート時の時刻ｔ１０において、キッチン用水栓装置６は、吐水がなされる前の待機状態となっている。排水本体部８内においては水が封水水位Ｗ２（図７参照）に貯留された状態となっている。
最初に、図１５のＳ１１において、制御装置２４は、流量センサ２０による吐水される水の検知がなされたか否かを判定する。
流量センサ２０による吐水される水の検知がなされた場合（図１６の時刻ｔ１１に例示するように検知状態がＯＮとなる場合）には、制御装置２４は、キッチン用水栓装置６の吐水部６ｂからの吐水が開始されたと判断できるので、Ｓ１２に進む。
流量センサ２０による吐水される水の検知がなされていない場合（図１６の時刻ｔ１２に例示するように検知状態がＯＦＦとなる場合）には、制御装置２４は、キッチン用水栓装置６の吐水部６ｂからの吐水が終了した又は停止状態のままであると判断できるので、Ｓ１３に進む。
【００６９】
次に、Ｓ１２において、制御装置２４は、超音波発振器２２により超音波を発振（ＯＮ状態）させる（時刻ｔ１１）。流量センサ２０による吐水の検知とほぼ同時に超音波発振器２２による超音波洗浄が開始される。この場合、制御装置２４は、排水本体部８内の水位を計算することなく、シンプルに且つ早期に超音波発振器２２の発振を開始させることができる。制御装置２４は、続いて、Ｓ１１に戻る。制御装置２４は、流量センサ２０による水の検知がなされている間は、Ｓ１１及びＳ１２の判定及び処理を繰り返している。
【００７０】
図１６に示すように、制御装置２４は、時刻ｔ１１における流量センサ２０による吐水される水の検知と連動して、時刻ｔ１１において超音波発振器２２による発振を開始させ、排水本体部８内の水位が最大水位Ｗ１となる期間のうち少なくとも一部の期間において超音波発振器２２による発振を行わせている。また、制御装置２４は、排水本体部８内の水位が最大水位Ｗ１まで上昇する前に超音波発振器２２による発振を開始させている。また、制御装置２４は、排水本体部８内の水位が最大水位Ｗ１に到達するとき既に超音波発振器２２による発振を行わせている。また、制御装置２４は、封水の水位が最大水位Ｗ１となる期間の全てにわたって超音波発振器２２による発振を継続させている。
【００７１】
図１５のＳ１１においてキッチン用水栓装置６からの吐水が終了されると、Ｓ１３に進む（図１６の時刻ｔ１２）。
Ｓ１３において、制御装置２４は、超音波発振器２２により超音波が発振されているか否かを判定する。
超音波発振器２２により超音波が発振されている場合には、制御装置２４は、キッチン用水栓装置６からの吐水の停止に伴い、排水本体部８内の水位が吐水停止との時間差で依然として最大水位Ｗ１である間において有効に超音波洗浄を行わせるため、Ｓ１４に進む。
超音波発振器２２により超音波が発振されていない場合には、制御装置２４は、キッチン用水栓装置６からの吐水が停止されており、超音波発振器２２も停止された待機状態であると判断できるので、リターンに進み、スタートに戻る。
【００７２】
次に、Ｓ１４において、制御装置２４は、排水本体部８内の水位が最大水位Ｗ１でなくなるか否かを判定する。
図１６の時刻ｔ１３に示すように、排水本体部８内の水位が最大水位Ｗ１でなくなる場合（ＹＥＳの場合）には、制御装置２４は、最大水位Ｗ１である期間の終わりまで有効に超音波洗浄を行った上で、超音波発振器２２の耐久性の低下を抑制できると判断できるので、Ｓ１５に進む。
排水本体部８内の水位が最大水位Ｗ１で依然として維持されそうな場合（ＮＯの場合）には、制御装置２４は、最大水位Ｗ１である期間の終わりまで有効に超音波洗浄を行わせるように、リターンに進み、スタートに戻る。制御装置２４は、流量センサ２０が吐水停止を検知し且つ超音波発振器２２による発振が継続している間は、排水本体部８内の水位が最大水位Ｗ１でなくなるまで、Ｓ１１、Ｓ１３及びＳ１４の判定及び処理を繰り返す。
【００７３】
次に、Ｓ１５において、制御装置２４は、超音波発振器２２による超音波の発振を停止（ＯＦＦ状態）させる。制御装置２４は、Ｓ１５の実行後、リターンに進み、スタートに戻る。
なお、制御装置２４は、第１実施形態のＳ５乃至Ｓ８のように、排水本体部８内の水位が最大水位Ｗ１から下降している途中（排水本体部８内の水位が封水水位Ｗ２に到達したときを含む）に超音波発振器２２による発振を停止させてもよい。
【００７４】
次に、図１７及び図１８により、上述した本発明の第１実施形態による排水システムの第２変形例の超音波発振器２２の動作を説明する。本発明の第１実施形態による排水システムの第２変形例の動作（作用）について、第１実施形態による排水システム１の動作（作用）と異なる点のみを説明し、同様の部分については説明を省略する。
図１７は、本発明の一実施形態による排水システムの第２変形例における制御装置の制御内容を示すフローチャートであり、図１８は、本発明の一実施形態による排水システムの第２変形例において、流量センサによる吐水の検知状態、排水本体部内の水位、超音波発振器の作動状態を示すタイミングチャートである。図１７において、Ｓは各ステップを示している。
【００７５】
図１７に示すように、処理のスタート時の時刻ｔ２０において、キッチン用水栓装置６は、吐水がなされる前の待機状態となっている。
最初に、図１７のＳ２１において、制御装置２４は、流量センサ２０による吐水される水の検知がなされたか否かを判定する。
流量センサ２０による吐水される水の検知がなされた場合（図１８の時刻ｔ２１に例示するように検知状態がＯＮとなる場合）には、制御装置２４は、キッチン用水栓装置６の吐水部６ｂからの吐水が開始されたと判断できるので、Ｓ２２に進む。
流量センサ２０による吐水される水の検知がなされていない場合（図１８の時刻ｔ２３に例示するように検知状態がＯＦＦとなる場合）には、制御装置２４は、キッチン用水栓装置６の吐水部６ｂからの吐水が終了した又は停止状態のままであると判断できるので、Ｓ２５に進む。
【００７６】
次に、Ｓ２２において、制御装置２４は、流量センサ２０により検知した水の流量から排水本体部８内の水位を計算する。具体的には、流量センサ２０により検知した水の単位時間あたりの流量に吐水している時間を乗じ第２排水流路１４からの排水流量を控除して排水本体部８内の水位を計算する。よって、制御装置２４は、排水本体部８内の水位を比較的正確に想定することができる。
【００７７】
次に、図１７のＳ２３において、制御装置２４は、Ｓ２２における計算により排水本体部８内の水位が最大水位Ｗ１に到達したか否かを判定する。
図１８の時刻ｔ２２に示すように、排水本体部８内の水位が最大水位Ｗ１に到達した場合には、制御装置２４は、最大水位Ｗ１である間において有効に超音波洗浄を行わせることができると判断できるので、超音波発振器２２による発振を開始させるため、Ｓ２４に進む。
排水本体部８内の水位が最大水位Ｗ１に到達していない場合には、制御装置２４は、超音波発振器２２による発振を抑制することにより超音波発振器２２の耐久性の低下を抑制することができると判断できるので、Ｓ２１に戻る。
【００７８】
次に、Ｓ２４において、制御装置２４は、超音波発振器２２により超音波を発振（ＯＮ状態）させる（図１８の時刻ｔ２２）。制御装置２４は、続いて、Ｓ２１に戻る。制御装置２４は、流量センサ２０による水の検知がなされている間は、Ｓ２１、Ｓ２２、Ｓ２３及びＳ２４の判定及び処理を繰り返している。
【００７９】
図１８に示すように、制御装置２４は、時刻ｔ２１における流量センサ２０による吐水される水の検知と連動して、時刻ｔ２２において超音波発振器２２による発振を開始させ、排水本体部８内の水位が最大水位Ｗ１となる期間のうち少なくとも一部の期間において超音波発振器２２による発振を行わせている。また、制御装置２４は、排水本体部８内の水位が最大水位Ｗ１まで上昇する前に超音波発振器２２による発振を開始させている。また、制御装置２４は、排水本体部８内の水位が最大水位Ｗ１に到達するとき既に超音波発振器２２による発振を行わせている。また、制御装置２４は、封水の水位が最大水位Ｗ１となる期間の全てにわたって超音波発振器２２による発振を継続させている。
【００８０】
図１７のＳ２１においてキッチン用水栓装置６からの吐水が終了されると、Ｓ２５に進む（図１８の時刻ｔ２３）。
Ｓ２５において、制御装置２４は、超音波発振器２２により超音波が発振されているか否かを判定する。
超音波発振器２２により超音波が発振されている場合には、制御装置２４は、キッチン用水栓装置６からの吐水の停止に伴う排水本体部８内の水位の低下中に洗浄ムラを生じにくい洗浄を行わせるため、Ｓ２６に進む。
超音波発振器２２により超音波が発振されていない場合には、制御装置２４は、キッチン用水栓装置６からの吐水が停止されており、超音波発振器２２も停止された待機状態であると判断できるので、リターンに進み、スタートに戻る。
【００８１】
次に、Ｓ２６において、制御装置２４は、流量センサ２０により検知した吐水停止からの経過時間により排水本体部８内の水位を計算する。具体的には、流量センサ２０が吐水停止を検知した状態においては、水位が最大水位Ｗ１となっており、最大水位Ｗ１から第２排水流路１４からの排水流量を控除して排水本体部８内の水位を計算する。よって、制御装置２４は、時間経過に伴う排水本体部８内の水位を比較的正確に想定することができる。
【００８２】
次に、Ｓ２７において、制御装置２４は、排水本体部８内の水位が封水水位Ｗ２に到達してから所定時間が経過したか否かを判定する。
図１８に示すように、排水本体部８内の水位が封水水位Ｗ２に到達したとき（時刻ｔ２４）から所定時間が経過した場合（時刻ｔ２５）には、制御装置２４は、水位下降中の洗浄ムラを抑制する超音波洗浄をより確実に封水水位Ｗ２近傍での水位変動の集束まで行うことができたと判断して、Ｓ２８に進む。
排水本体部８内の水位が封水水位Ｗ２に到達したとき（時刻ｔ２４）から所定時間が経過していない場合には、制御装置２４は、超音波発振器２２による発振を継続することにより、水位下降中の洗浄ムラを抑制する超音波洗浄を封水水位Ｗ２近傍での水位変動の集束まで有効に行うことができると判断できるので、リターンに進み、スタートに戻る。制御装置２４は、流量センサ２０が吐水停止を検知し且つ超音波発振器２２による発振が継続している間は、排水本体部８内の水位が封水水位Ｗ２に到達してから所定時間が経過するまで、Ｓ１、Ｓ５、Ｓ６及びＳ７の判定及び処理を繰り返す。所定時間は、１秒乃至５分、好ましくは１秒乃至２分の範囲において設定される。
【００８３】
次に、Ｓ２８において、制御装置２４は、超音波発振器２２による超音波の発振を停止（ＯＦＦ状態）させる。制御装置２４は、Ｓ２８の実行後、リターンに進み、スタートに戻る。よって、制御装置２４は、封水水位Ｗ２まで下降後に超音波発振器２２による発振を停止させる。
【００８４】
次に、図１９及び図２０により、上述した本発明の第１実施形態による排水システムの第３変形例の超音波発振器２２の動作を説明する。本発明の第１実施形態による排水システムの第３変形例の動作（作用）について、第１実施形態による排水システム１の動作（作用）と異なる点のみを説明し、同様の部分については説明を省略する。
図１９は、本発明の一実施形態による排水システムの第３変形例における制御装置の制御内容を示すフローチャートであり、図２０は、本発明の一実施形態による排水システムの第３変形例において、流量センサによる吐水の検知状態、排水本体部内の水位、超音波発振器の作動状態を示すタイミングチャートである。図１９において、Ｓは各ステップを示している。
【００８５】
図２０に示すように、処理のスタート時の時刻ｔ３０において、キッチン用水栓装置６は、吐水がなされる前の待機状態となっている。排水本体部８内においては水が封水水位Ｗ２（図７参照）に貯留された状態となっている。
最初に、図１９のＳ３１において、制御装置２４は、流量センサ２０による水の検知がなされたか否かを判定する。
流量センサ２０による吐水される水の検知がなされた場合（図２０の時刻ｔ３１に例示するように検知状態がＯＮとなる場合）には、制御装置２４は、キッチン用水栓装置６の吐水部６ｂからの吐水が開始されたと判断できるので、Ｓ３２に進む。
流量センサ２０による吐水される水の検知がなされていない場合（図２０の時刻ｔ３６に例示するように検知状態がＯＦＦとなる場合）には、制御装置２４は、キッチン用水栓装置６の吐水部６ｂからの吐水が終了した又は停止状態のままであると判断できるので、リターンに進み、スタートに戻る。
【００８６】
次に、Ｓ３２において、制御装置２４は、流量センサ２０により検知した水の流量から排水本体部８内の水位を計算する。具体的には、流量センサ２０により検知した水の単位時間あたりの流量に吐水している時間を乗じて、排水本体部８内に流入する水の水量を算出し、この流入する水量から第２排水流路１４からの排水流量を控除して排水本体部８内の水位を計算する。よって、制御装置２４は、排水本体部８内の水位を比較的正確に想定することができる。
【００８７】
次に、図１９のＳ３３において、制御装置２４は、Ｓ３２における計算により排水本体部８内の水位が第３水位Ｗ３に到達したか否かを判定する。
図２０の時刻ｔ３２に示すように、排水本体部８内の水位が第３水位Ｗ３に到達した場合には、制御装置２４は、超音波洗浄を行うことにより拡径部８ａを洗浄する時間を比較的長くし、拡径部８ａ側の超音波洗浄能力を向上させることができると判断できるので、超音波発振器２２による発振を開始させるため、Ｓ３４に進む。
排水本体部８内の水位が第３水位Ｗ３に到達していない場合には、制御装置２４は、超音波発振器２２による発振を抑制することにより超音波発振器２２の耐久性の低下を抑制することができると判断できるので、Ｓ３１に戻る。
【００８８】
次に、Ｓ３４において、制御装置２４は、超音波発振器２２により超音波を発振（ＯＮ状態）させる（時刻ｔ３２）。
【００８９】
次に、Ｓ３５において、制御装置２４は、流量センサ２０による吐水される水の検知がなされているか否かを判定する。
流量センサ２０による吐水される水の検知がなされている場合（検知状態がＯＮとなる場合）には、制御装置２４は、キッチン用水栓装置６の吐水部６ｂからの吐水が行われていると判断できるので、Ｓ３６に進む。
流量センサ２０による吐水される水の検知がなされていない場合（検知状態がＯＦＦとなる場合）には、制御装置２４は、キッチン用水栓装置６の吐水部６ｂからの吐水が停止されたと判断できるので、Ｓ４０に進む。
【００９０】
次に、Ｓ３６において、制御装置２４は、Ｓ３２における計算により封水の水位が最大水位Ｗ１に到達したとき（時刻ｔ３３）から所定時間が経過したか否かを判定する。
最大水位Ｗ１の状態での超音波洗浄が所定時間行われた場合（時刻ｔ３３から所定時間が経過して時刻ｔ３４となる場合）には、制御装置２４は、水位が最大水位Ｗ１となる期間のうち少なくとも一部の期間において超音波発振器２２による発振が行われていると判断できるので、Ｓ３７に進む。
最大水位Ｗ１の状態での超音波洗浄が所定時間行われていない場合（時刻ｔ３３から所定時間が経過していない場合）には、制御装置２４は、吐水が継続しているか再び判断するため、Ｓ３５に戻る。
【００９１】
次に、Ｓ３７において、制御装置２４は、超音波発振器２２による超音波の発振を停止させる（時刻ｔ３４）。
【００９２】
次に、Ｓ３８において、制御装置２４は、流量センサ２０により吐水が検知され排水本体部８内の水位が最大水位Ｗ１に維持されている状態において超音波の発振を停止したとき（時刻ｔ３４）から所定時間が経過したか否かを判定する。
超音波の発振停止から所定時間が経過した場合（時刻ｔ３４から所定時間が経過して時刻ｔ３５となる場合）には、制御装置２４は、再び超音波発振器２２による発振を行うことにより、汚れの再付着を抑制し、さらに有効に排水本体部８の超音波洗浄を行うことができると判断できるので、Ｓ３９に進む。
超音波の発振停止から所定時間が経過していない場合（時刻ｔ３４から所定時間が経過していない場合）には、制御装置２４は、長時間の連続作動により超音波発振器２２の耐久性の低下を抑制できるため、Ｓ３５に戻る。
【００９３】
次に、Ｓ３９において、制御装置２４は、超音波発振器２２により超音波を発振（ＯＮ状態）させる（時刻ｔ３５）。制御装置２４は、Ｓ３９実行後、Ｓ３５に戻る。制御装置２４は、最大水位Ｗ１の状態において、Ｓ３５乃至Ｓ３９の処理を繰り返すことにより超音波発振器２２を間欠駆動させることができる。
【００９４】
次に、Ｓ４０において、制御装置２４は、超音波発振器２２により超音波が発振されているか否かを判定する。
超音波発振器２２により超音波が発振されている場合には、制御装置２４は、キッチン用水栓装置６からの吐水の停止に伴い、排水本体部８内の水位の低下中に洗浄ムラを生じにくい洗浄を行わせるため、Ｓ４２に進む。
超音波発振器２２により超音波が発振されていない場合には、制御装置２４は、封水の水位の低下中に超音波発振器２２を作動させた状態とするため、Ｓ４１に進む。
【００９５】
次に、Ｓ４１において、制御装置２４は、封水の水位の低下中に超音波発振器２２を作動させた状態とするため、吐水停止からの所定時間の経過により封水の水位が最大水位Ｗ１でなくなるタイミングに合わせて超音波発振器２２を作動させ（図２０の時刻ｔ３７）、Ｓ４２に進む。なお、制御装置２４は、封水の水位が最大水位Ｗ１である任意のタイミングにおいて超音波発振器２２を作動させてもよい。
【００９６】
次に、Ｓ４２において、制御装置２４は、流量センサ２０により検知した吐水停止からの経過時間により排水本体部８内の水位を計算する。具体的には、流量センサ２０が吐水停止を検知した状態においては、水位が最大水位Ｗ１となっており、最大水位Ｗ１の貯水量から第２排水流路１４からの排水流量を控除して排水本体部８内の水位を計算する。よって、制御装置２４は、時間経過に伴う排水本体部８内の水位を比較的正確に想定することができる。
【００９７】
次に、Ｓ４３において、制御装置２４は、排水本体部８内の水位が封水水位Ｗ２に到達したか否かを判定する。
図２０の時刻ｔ３８に示すように、排水本体部８内の水位が封水水位Ｗ２に到達した場合には、制御装置２４は、水位下降中の洗浄ムラを抑制する超音波洗浄を有効に行った上で、超音波発振器２２の耐久性を低下させにくくすることを両立するため、以後超音波発振器２２を停止させることが有効であると判断できるので、Ｓ４４に進む。
排水本体部８内の水位が封水水位Ｗ２に到達していない場合には、制御装置２４は、超音波発振器２２による発振を継続することにより、水位下降中の洗浄ムラを抑制する超音波洗浄を有効に行うことができると判断できるので、Ｓ４２に戻る。制御装置２４は、流量センサ２０が吐水停止を検知し且つ超音波発振器２２による発振が継続している間は、排水本体部８内の水位が封水水位Ｗ２に到達するまで、Ｓ４２及びＳ４３の判定及び処理を繰り返す。
【００９８】
次に、Ｓ４４において、制御装置２４は、超音波発振器２２による超音波の発振を停止（ＯＦＦ状態）させる（時刻ｔ３８）。制御装置２４は、Ｓ４４の実行後、リターンに進み、スタートに戻る。
【００９９】
本発明の第１実施形態による排水システム、及び排水システムの各変形例等において、超音波を発振させる制御処理、例えばＳ１乃至Ｓ４、Ｓ１１及びＳ１２、Ｓ２１乃至Ｓ２４、Ｓ３１乃至Ｓ３４は、別の変形例等の超音波を発振させる制御処理として任意に組み替えることができる。例えば、制御装置２４がＳ１乃至Ｓ４とＳ１３乃至Ｓ１５を組み合わせた制御処理を行ってもよい。
同様に、本発明の第１実施形態による排水システム、及び排水システムの各変形例等において、超音波の発振停止の制御処理、例えばＳ５乃至Ｓ８、Ｓ１３乃至Ｓ１５、Ｓ２５乃至Ｓ２８、Ｓ４０乃至Ｓ４４は、別の変形例等の超音波の発振停止の制御処理として任意に組み替えることができる。例えば、制御装置２４がＳ１乃至Ｓ４とＳ２５乃至Ｓ２８を組み合わせた制御処理を行ってもよい。
また、本発明の第１実施形態による排水システム、及び排水システムの各変形例等において、最大水位Ｗ１における超音波発振器２２の間欠駆動の制御処理、例えばＳ３５乃至Ｓ３９は、別の変形例等の最大水位Ｗ１における超音波発振器２２の制御処理として任意に組み込むことができる。例えば、制御装置２４がＳ１乃至Ｓ４、Ｓ３５乃至Ｓ３９、及びＳ５乃至Ｓ８を組み合わせた制御処理を行ってもよい。
【０１００】
次に、図２７及び図２８により、上述した本発明の第１実施形態による排水システムの第４変形例を説明する。本発明の第１実施形態による排水システムの第４変形例について、第１実施形態による排水システム１と異なる点のみを説明し、同一部分には同一符号を付して説明を省略する。本発明の第１実施形態による排水システムの第４変形例の動作（作用）については、第１実施形態による排水システム１の動作（作用）と同様であるので説明を省略する。
図２７は、本発明の第１実施形態による排水システムの第４変形例における排水本体部において弁体が開状態となっている様子を示す拡大断面図である。図２８は、本発明の第１実施形態による排水システムの第４変形例における排水本体部において弁体が流路断面積減少状態となっている様子を示す拡大断面図である。
【０１０１】
第４変形例においては、排水本体部の構造が本発明の第１実施形態による排水システムの排水本体部の構造と異なっている。本変形例においては、排水流路がひとつの流路により構成されている。排水本体部４０８は、入口部１０の下流側に設けられるトラップ形状の流路である第１排水流路１２を備えている。この排水流路は接続部１２ａと第１排水流路上昇部１２ｂと出口流路２６とにより構成されるＳ字形状であるため封水が形成され、その封水水位Ｗ２は第１排水流路１２の頂部１２ｃにて規定される。排水本体部４０８は、シンク４に吐水された水を排水するとともに、吐水された水の一部を貯留させてその内部に封水水位Ｗ２で通常時の封水を形成する封水形成部として機能する。
【０１０２】
排水本体部４０８は、第１排水流路１２の下降部１２ｄに弁体４１３を備えている。弁体４１３は制御装置２４と電気的に接続され、制御装置２４からの制御指令を受けて流路の開度を変更することができる。図２７に示すように、例えば通常時には弁を開状態とすることで、出口側の流路の開口径を広く形成させ、流路断面積をＡ１とさせ、十分な排水を可能とすることができる。一方、図２８に示すように、例えば流量センサ２０が吐水を検知するとき、制御装置２４は弁体４１３を流路の開口面積減少状態（又は閉状態）とするように制御させ、流路断面積をＡ２とさせ、出口流路２６から外部へ排出される単位時間当たりの水の量Ｑ２に対して、排水本体部４０８に供給される単位時間当たりの水の量Ｑ１が多くなるようにすることで排水流路内の封水の水位を上昇させる。第１排水流路１２及び弁体４１３は、キッチン用水栓装置６から吐水される水により、水位を、第１排水流路上昇部１２ｂ内の封水水位Ｗ２より高い洗浄時の封水の水位として設定された最大水位Ｗ１まで上昇させる水位上昇手段として機能する。また、流量センサ２０は、単位時間あたりの流量を検知しているので、封水の水位が所定の水位（最大水位Ｗ１）にまで上昇した後、制御装置２４は所定の水位を維持するように弁体４１３の開度を調整することができる。最大水位Ｗ１は、洗浄時の封水の水位として設定された第２水位である。最大水位Ｗ１は、入口部１０の高さ以下且つ封水水位Ｗ２の高さ以上の水位として、排水流量の調整により設定される。吐水が終了すると、制御装置２４は弁体４１３を再び開状態にさせる。
【０１０３】
次に、図２９及び図３０により、上述した本発明の第１実施形態による排水システムの第５変形例を説明する。本発明の第１実施形態による排水システムの第５変形例について、第１実施形態による排水システム１と異なる点のみを説明し、同一部分には同一符号を付して説明を省略する。本発明の第１実施形態による排水システムの第４変形例の動作（作用）については、第１実施形態による排水システム１の動作（作用）と同様であるので説明を省略する。
図２９は、本発明の第１実施形態による排水システムの第５変形例における排水本体部において排水流路の頂部が低位置状態となっている様子を示す拡大断面図である。図３０は、本発明の第１実施形態による排水システムの第５変形例における排水本体部において排水流路の頂部が高位置状態となっている様子を示す拡大断面図である。
【０１０４】
第５変形例においては、排水本体部の構造が本発明の第１実施形態による排水システムの排水本体部の構造と異なっている。本変形例においては、排水流路がひとつの流路により構成されている。排水本体部５０８は、入口部１０の下流側に設けられるトラップ形状の流路である第１排水流路５１２を備えている。この排水流路は接続部１２ａと第１排水流路上昇部５１２ｂと出口流路２６とにより構成されるＳ字形状であるため封水が形成され、その封水水位Ｗ２は第１排水流路５１２の頂部５１２ｃにて規定される。排水本体部５０８は、シンク４に吐水された水を排水するとともに、吐水された水の一部を貯留させてその内部に封水水位Ｗ２で通常時の封水を形成する封水形成部として機能する。
【０１０５】
排水本体部８は、第１排水流路５１２において第１排水流路上昇部１２ｂと下降部１２ｄとを区画する壁に接続される可動壁５１５を備えている。可動壁は、第１排水流路上昇部１２ｂと出口流路２６とを区画する壁との接続部分を回転軸（トラップ回転部）として出口流路２６側に倒れ込むように回転する。可動壁５１５は、その姿勢に応じた最も高い位置により第１排水流路５１２の頂部５１２ｃを構成する。可動壁５１５は、制御装置２４と電気的に接続され、制御装置２４からの制御指令を受けて自身の姿勢を変更することができる。
【０１０６】
図２９に示すように、例えば通常時には制御装置２４は、可動壁５１５の遠位側を出口流路２６側に倒れ込ませ、可動壁５１５の水平面に対する角度を小さくさせ、可動壁５１５の近位側（回転軸側）と遠位側とがほぼ水平となる、又は近位側よりも遠位側が下方に位置するように、姿勢を制御する。従って、第１排水流路５１２の頂部５１２ｃの位置が可動壁５１５の近位側によって規定され、比較的低い位置となるように設定される。このとき、封水水位Ｗ２が第１排水流路５１２の頂部５１２ｃにて規定される。
図３０に示すように、一方、例えば流量センサ２０が吐水を検知した場合には、制御装置２４は可動壁５１５の遠位端を第１排水流路上昇部１２ｂ側へ近づけるように回転させる（可動壁５１５の水平面に対する角度を大きくさせるように回転させる）ことで近位側よりも遠位側が上方に位置するように、姿勢を制御する。可動壁５１５は第１排水流路５１２の排水トラップの頂部５１２ｃの位置を上方に上昇させる機能を有する。従って、第１排水流路５１２の頂部５１２ｃの位置が可動壁５１５の遠位側によって規定され、比較的高い位置となるように設定される。これにより、排水流路内の封水の水位を、通常時の封水水位Ｗ２よりも上昇させることができる。よって、第１排水流路５１２及び可動壁５１５は、キッチン用水栓装置６から吐水される水により、水位を、第１排水流路上昇部１２ｂ内の封水水位Ｗ２より高い洗浄時の封水の水位として設定された最大水位Ｗ１まで上昇させる水位上昇手段として機能する。制御装置２４は封水の水位が所定の水位（最大水位Ｗ１）にまで上昇した後、所定の水位を維持するように可動壁５１５の姿勢を制御する。吐水が終了すると、制御装置２４は再び可動壁５１５の遠位側を出口流路２６側に倒れ込ませた状態にさせる。
【０１０７】
なお、上述する第１変形例乃至第５変形例は、後述する第２実施形態乃至第４実施形態においても同様に適用することができる。
【０１０８】
上述した本発明の第１実施形態による排水システム１によれば、制御装置２４は、封水の水位が最大水位Ｗ１となる期間のうち少なくとも一部の期間において超音波発振器２２による発振を行わせるように、流量センサ２０による吐水される水の検知と連動して、超音波発振器２２による発振を開始させる。このように、キッチン用水栓装置６からの吐水、例えば、食器洗浄、手洗い、シンクの清掃等のための吐水の開始と超音波洗浄の開始とを連動させることで、使用者に超音波洗浄を行うタイミングを意識させることなく、排水口部分の洗浄を行うことができる。また、封水の水位を上昇させ、その水位が最大水位Ｗ１となっている期間のうち少なくとも一部の期間において超音波発振器２２による超音波洗浄を実行することにより、第１水位よりも高い排水口部分の汚れを洗浄することが可能となる。
また、制御装置２４は、キッチン用水栓装置６からの吐水の開始と超音波洗浄の開始とを連動させるので、排水システム１は、超音波洗浄用の水を排水本体部８に別途供給しなくとも、キッチン用水栓装置６からの吐水、例えば食器洗浄、手洗い、シンクの清掃等のための吐水等の通常の使用態様の吐水を利用して超音波洗浄を行うことができる。
さらに、排水システム１は、キッチン用水栓装置６からの吐水により供給された水を用いて超音波洗浄を行うことができる。このため、超音波洗浄用の水を供給するための専用の給水路の設置を省略することができる。
【０１０９】
さらに、本発明の第１実施形態による排水システム１によれば、制御装置２４は、排水本体部８内の水位が最大水位Ｗ１となる期間のうち少なくとも一部の期間において超音波発振器２２による発振を行わせるように、流量センサ２０による吐水される水の検知と連動して、超音波発振器２２による発振を開始させる。このように、キッチン用水栓装置６からの吐水の開始と超音波洗浄の開始とを連動させることで、使用者に超音波洗浄を行うタイミングを意識させることなく、排水口部分の洗浄を行うことができる。また、封水の水位を上昇させ、その水位が最大水位Ｗ１となっている期間のうち少なくとも一部の期間において超音波発振器２２による超音波洗浄を実行することにより、第１水位よりも高い排水口部分の汚れを洗浄することが可能となる。  また、制御装置２４は、キッチン用水栓装置６からの吐水の開始と超音波洗浄の開始とを連動させるので、排水システム１は、超音波洗浄用の水を排水本体部８に別途供給しなくとも、キッチン用水栓装置６からの通常の使用態様の吐水を利用して超音波洗浄を行うことができる。
さらに、排水システム１は、キッチン用水栓装置６からの吐水により供給された水を用いて超音波洗浄を行うことができる。このため、超音波洗浄用の水を供給するための専用の給水路の設置を省略することができる。
【０１１０】
さらに、本発明の第１実施形態による排水システム１によれば、制御装置２４は、上記封水の水位が上記最大水位Ｗ１となる期間の全てにわたって上記超音波発振器２２による発振を継続させる。これにより、封水の水位が最大水位Ｗ１となっている状態で超音波洗浄を比較的長い時間実行することができ、排水本体部８内の最大水位Ｗ１までの部分についての洗浄効果を高めることができる。
【０１１１】
さらに、本発明の第１実施形態による排水システム１によれば、制御装置２４は、上記封水の水位が上記最大水位Ｗ１に到達するとき既に上記超音波発振器２２による発振を行わせている。これにより、制御装置２４は、封水の水位が最大水位Ｗ１となっている期間の最初から超音波発振器２２による超音波洗浄を実行することができ、排水本体部８内の最大水位Ｗ１における超音波洗浄をより効果的に実行することができる。
【０１１２】
仮に排水本体部８への水の流入がなくなった後も、封水の水位が最大水位Ｗ１に維持される場合には、追加的に生じた排水本体部８への一時的な大量の排水等により、排水本体部８内の水位が上昇して、水受け部、シンク、洗い場床、浴槽、洗面ボウル等まで汚れが逆流するおそれがある。さらに、本発明の第１実施形態による排水システム１によれば、上記水位上昇手段は、上記排水本体部８への水の流入がなくなった場合、自動的に上記排水本体部８内の水位を上記封水水位Ｗ２まで下げるように形成される。これにより、排水本体部８への水の流入がなくなった後、封水の水位が封水水位Ｗ２まで下げられているので、追加的に生じた排水本体部８への一時的な大量の排水等により、排水本体部８内の水位が上昇して、水受け部、シンク、洗い場床、浴槽、洗面ボウル等まで汚れが逆流するおそれを低減することができる。
【０１１３】
さらに、本発明の第１実施形態による排水システム１によれば、超音波発振器２２により超音波を発振させながら封水の水位を上昇するように変動させることができ、排水本体部８又は水受け部内の超音波の腹と節の位置を変化させることができ、超音波洗浄の洗浄力及び洗浄結果が位置によって不揃いとなる、いわゆる洗浄ムラを生じることを抑制することができる。
【０１１４】
さらに、本発明の第１実施形態による排水システム１によれば、上記制御装置２４は、封水の水位が上記最大水位Ｗ１からの下降時又は上記封水水位Ｗ２まで下降後に超音波発振器２２による発振を停止させる。これにより、超音波発振器２２により超音波を発振させながら排水本体部８内の水位を下降するように変動させることができ、排水本体部８または水受け部内における超音波の腹と節の位置を変化させることができる。これにより、超音波洗浄の洗浄力及び洗浄結果が位置によって不揃いとなる、いわゆる洗浄ムラを生じることを抑制することができる。
また、封水の水位の下降時における水位の変化速度は、水位の上昇時における水位の変化速度に比べて安定しやすい。よって、比較的安定した速度で排水本体部８または水受け部内における超音波の腹と節の位置を変化させることができ、超音波洗浄の洗浄力及び洗浄結果が位置によって不揃いとなる、いわゆる洗浄ムラを生じることをより抑制することができる。
【０１１５】
さらに、本発明の第１実施形態による排水システム１によれば、封水の水位を上昇させ、その水位が最大水位Ｗ１となっている期間のうち少なくとも一部の期間において超音波発振器２２による超音波洗浄を実行することにより、ごみ捕捉部材、例えば網かご２８の少なくとも一部の汚れを洗浄することが可能となる。
【０１１６】
次に、図２１及び図２２により、本発明の第２実施形態による排水システムを説明する。第２実施形態は、本発明による排水システムを浴室の洗い場床に適用した例である。図２１は本発明の第２実施形態による排水システムを備えた浴室の斜視図である。図２２は図２１のＸＸＩＩ−ＸＸＩＩ線に沿って見た浴室の床面近傍部分の部分拡大断面図である。
【０１１７】
第２実施形態による排水システム１０１は、上述した第１実施形態による排水システム１と基本構造が類似しているため、本発明の第２実施形態の第１実施形態とは異なる点のみを説明し、同様な部分については図面に同じ参照符号を付して説明を省略する。本発明の第２実施形態による排水システム１０１の動作（作用）については、第１実施形態による排水システム１の動作（作用）と同様であるので説明を省略する。
【０１１８】
排水システム１０１は、浴室１０２に設けられた水受け部である洗い場床１０４と、浴室１０２に設けられた水受け部である浴槽１０５と、洗い場床１０４に水（湯水）を吐水する浴室用水栓装置（浴室用水栓）である洗い場側水栓装置（吐水部）１０６と、浴槽１０５に水（湯水）を吐水する浴室用水栓装置（浴室用水栓）であるシャワー水栓装置（吐水部）１０７と、浴槽１０５に水（湯水）を吐水する供給装置である浴槽側水栓装置１０９と、洗い場床１０４の底部１０４ａの下流端と接続される排水本体部１０８とを備えている。洗い場床１０４は、洗い場側水栓装置１０６及び／又はシャワー水栓装置１０７から吐水された水を下流側に排出するように形成される。
【０１１９】
洗い場側水栓装置１０６及びシャワー水栓装置１０７は、上流側において、給水源（図示せず）から水が供給される水給水路９及び、湯が供給される湯給水路１１に接続される。洗い場側水栓装置１０６及びシャワー水栓装置１０７は、湯水混合栓６ａを備え、水給水路９からの水と、湯給水路１１からの湯とを混合し、吐水部１０６ｂ、１０７ｂから吐水させる。水給水路９及び湯給水路１１は、湯水混合栓６ａに接続され、吐水側流路６ｃが湯水混合栓６ａから下方側に延び、後述する流量センサ２０を通り、吐水部１０６ｂ、１０７ｂまで延びている。洗い場床１０４は、洗い場側水栓装置１０６及び／又はシャワー水栓装置１０７から吐水された水を下流側に排出するように形成される。
【０１２０】
図２２に示すように、排水本体部１０８は、洗い場床１０４の下流側に設けられると共に封水を形成するように構成される。
排水本体部１０８は、洗い場床１０４側に開口される入口部１１０と、入口部１１０の下流側に設けられるトラップ形状の流路である第１排水流路１１２と、第１排水流路１１２から分岐される第２排水流路１１４と、一定の大きさの汚れが第２排水流路１１４に侵入することを抑制する侵入抑制部１１６を備えている。入口部１１０及び排水本体部１０８は洗い場床１０４の排水口部分を形成している。排水本体部１０８は、洗い場床１０４に吐水された水を排水するとともに、吐水された水の一部を貯留させてその内部に封水水位Ｗ２で通常時の封水を形成する封水形成部として機能する。入口部１１０は、底部１０４ａの一部が底面よりも下方に窪むことにより形成されている。なお、排水本体部１０８には、洗い場床１０４からの流路とは別の水の供給流路が接続されていてもよい。別の水の供給流路は、別の給水源（図示せず）に接続されてもよい。排水本体部１０８内に供給される水には、洗い場床１０４からの流路とは別の水の供給流路から排水本体部１０８内に流入する水も含まれる。
【０１２１】
排水本体部１０８は、第３水位Ｗ３の高さにおいて排水流路の上方側部分が拡径される拡径部１０８ａを形成している。拡径部１０８ａは、排水流路の下方側部分よりも外周方向に広がった部分に壁面を形成している。よって、拡径部１０８ａは、排水本体部１０８の汚れを洗浄しにくくなる部分を形成している。後述する超音波発振器２２から直進する超音波が拡径部１０８ａまで回折するように回り込むことから拡径部１０８ａにおいては超音波洗浄の能力が低下しやすくなる。
【０１２２】
排水システム１は、さらに、洗い場側水栓装置１０６及び／又はシャワー水栓装置１０７から吐水される水を検知する検知部である流量センサ２０と、排水本体部１０８内の水に超音波を発振する超音波発振器２２と、超音波発振器２２の作動を制御する制御装置２４と、排水本体部８の第１排水流路１２の下流側に設けられる出口流路１２６を備えている。
【０１２３】
流量センサ２０は、洗い場側水栓装置１０６及び／又はシャワー水栓装置１０７の湯水混合栓６ａと吐水部１０６ｂ、１０７ｂとの間に設けられる。流量センサ２０は、吐水部１０６ｂ、１０７ｂから吐水される水の単位時間あたりの流量を検知できる。
【０１２４】
超音波発振器２２は、排水本体部１０８内の入口部１１０の下方に設けられている。超音波発振器２２は、排水本体部１０８の底部に設けられ、上方に向けて電波を発振するように配置されている。
【０１２５】
制御装置２４は、超音波洗浄モードにより、洗い場側水栓装置１０６及び／又はシャワー水栓装置１０７からの吐水の開始と超音波洗浄の開始とを連動させることができる。制御装置２４は、排水本体部１０８内の水位が最大水位Ｗ１となる期間のうち少なくとも一部の期間において超音波発振器２２による発振を行わせるように、流量センサ２０による吐水される水の検知と連動して、超音波発振器２２による発振を開始させる。制御装置２４は、排水本体部１０８内の水位が最大水位Ｗ１となる期間において超音波発振器２２による発振を継続させる。制御装置２４は、排水本体部１０８内の水位が最大水位Ｗ１に到達するとき既に超音波発振器２２による発振を行わせている。制御装置２４は、排水本体部１０８内の水位が最大水位Ｗ１まで上昇する前に超音波発振器２２による発振を開始させる。制御装置２４は、排水本体部１０８内の水位が最大水位Ｗ１から下降時又は封水水位Ｗ２まで下降後に超音波発振器２２による発振を停止させる。
【０１２６】
網かご（図示せず）は、排水本体部１０８の上流側部分に配置されている。網かご（図示せず）は、入口部１１０の下方側の流路全体を覆うように形成される。網かご（図示せず）の上端は入口部１１０に配置されている。網かご（図示せず）は、水を通過させる一方、ごみ等の小物体を通過させずに内部に留めるようになっている。
【０１２７】
次に、図２２を参照して、本発明の第１実施形態による排水システムの第１排水流路１１２及び第２排水流路１１４について説明する。
排水システム１０１の排水本体部１０８の第１排水流路１１２は、入口部１１０の下方に接続される接続部１１２ａと、排水トラップを形成するように下流側に向けて斜め上方に上昇する上昇流路である第１排水流路上昇部１１２ｂと、第１排水流路上昇部１１２ｂと下降部１１２ｄとの間における折り返し部分である頂部１１２ｃと、頂部１１２ｃから下降する下降流路である下降部１１２ｄとを備えている。下降部１１２ｄは出口流路１２６と接続される。
【０１２８】
第１排水流路１１２は、第１排水流路上昇部１１２ｂから下降部１１２ｄに向けて折り返すトラップ形状の流路である。下降部１１２ｄは第１排水流路上昇部１１２ｂの下流端に接続され且つほぼ鉛直方向下方に延びるように形成されている。排水本体部１０８の内部の接続部１１２ａ、第１排水流路上昇部１１２ｂ及び第２排水流路１１４において後述するように封水が形成され、第１水位である封水水位Ｗ２が規定される。また、第１排水流路１１２は、トラップ形状の流路の頂部１１２ｃにより入口部１１０の高さ以下の最大水位Ｗ１を規定するように構成されている。最大水位Ｗ１は、洗浄時の封水の水位として設定された第２水位である。最大水位Ｗ１は、網かご（図示せず）の底面よりも高い位置、例えば網かごの上部に規定されている。最大水位Ｗ１は、網かごの上方に規定されていてもよい。第１排水流路１１２の頂部１１２ｃが、排水本体部１０８の入口部１１０の高さに設けられることにより、第１排水流路１１２により規定される最大水位Ｗ１は、排水本体部１０８の入口部１１０の高さとされる。第１排水流路１１２は、後述する単位時間あたりの第２排水量よりも大きな単位時間あたりの第１排水量を出口流路２６に排水できるような第１の流路断面積Ｄ１１に形成されている。第１の流路断面積Ｄ１１は、第１排水流路１１２の流路断面積のうち最小の流路断面積である。
【０１２９】
第２排水流路１１４は、第１排水流路１１２の頂部１１２ｃより上流側に設けられた第２排水流路１１４の入口部１１４ａから頂部１１２ｃより下流側に設けられた出口部１１４ｂまで延びるバイパス流路を形成する。第２排水流路１１４は、入口部１４ａと出口部１４ｂとの間において最も高い部分を形成する頂部１１４ｃと、入口部１１４ａから下流側に向けて斜め下方に延びる第２排水流路下降部１１４ｉとを備えている。
【０１３０】
第２排水流路１１４の入口部１１４ａは、排水本体部１０８の側壁に形成されている。出口部１１４ｂは、出口流路１２６の側壁に接続されている。
【０１３１】
第２排水流路１１４の入口部１１４ａは頂部１１４ｃを形成している。第２排水流路１１４は、頂部１１４ｃにより排水本体部１０８内の封水水位Ｗ２を規定する。なお、第２排水流路１１４は、例えば第２排水流路１１４の中間部分又はその出口が流路の最も高い部分を構成することにより封水水位Ｗ２を規定するように構成されてもよい。また、封水水位Ｗ２は、第２排水流路１１４以外の構成により規定されていてもよい。封水水位Ｗ２は、網かごより下方に規定される。封水水位Ｗ２は、排水本体部１０８の中央近傍又は下側部分に位置している。第２排水流路１４は、さらに、その流路の一部を絞る絞り部１３０を備えている。
【０１３２】
第２排水流路１１４は、絞り部１３０において、単位時間あたりに第２排水量を出口流路２６に排水できるような第２の流路断面積Ｄ１２に形成されている。第２の流路断面積Ｄ１２は、第２排水流路１１４の流路断面積のうち最小の流路断面積である。第２排水流路１１４の第２の流路断面積Ｄ１２は第１排水流路１１２の第１の流路断面積Ｄ１１よりも小さい。よって、第２排水流路１１４は、絞り部１３０により第１排水流路１１２よりも大きな流路抵抗を有するように形成されている。第２排水流路１１４は、第２排水流路１１４の絞り部３０の単位時間あたりの第２排水量を超える単位時間あたりの流入量の水が排水本体部１０８内に流入する場合に、排水本体部１０８内の水位を、封水水位Ｗ２より高く且つ第１排水流路１１２により規定される最大水位Ｗ１まで少なくとも上昇させるように機能する。
【０１３３】
第１排水流路１１２及び第２排水流路１１４は、排水本体部１０８内の水位が最大水位Ｗ１を超えないように、排水本体部１０８内に流入する水を出口流路１２６に排水させる排水手段として機能する。少なくとも第１排水流路１１２は、排水本体部１０８内の水位が最大水位Ｗ１を超えないように、第１排水流路１１２内の水を出口流路１２６に排水させるように機能する。排水手段は、第１排水流路１１２及び第２排水流路１１４により、排水本体部１０８内の水位が最大水位Ｗ１に到達した場合、排水本体部１０８から出口流路１２６に流出する水の単位時間あたりの排水量が排水本体部１０８内に流入する水の単位時間あたりの流入量以上にされるように形成されている。排水手段は、排水本体部１０８内に水が第２排水量を超える流入量でさらに流入されている間、排水本体部１０８内の水位を最大水位Ｗ１に維持するように形成されている。
【０１３４】
第１排水流路１１２及び第２排水流路１１４は、洗い場側水栓装置１０６及び／又はシャワー水栓装置１０７から吐水される水により、封水の水位を、第１排水流路上昇部１２ｂ内の第１水位である封水水位Ｗ２より高い洗浄時の封水の水位として設定された最大水位Ｗ１まで上昇させる水位上昇手段として機能する。少なくとも第２排水流路１１４は、絞り部１３０の単位時間あたりの第２排水量を超える単位時間あたりの流入量の水が排水本体部１０８内に流入する場合に、排水本体部１０８内の水位を、封水水位Ｗ２より高く且つ最大水位Ｗ１まで少なくとも上昇させるように機能する。
【０１３５】
上述した本発明の第２実施形態による排水システム１０１によれば、制御装置２４は、封水の水位が最大水位Ｗ１となる期間のうち少なくとも一部の期間において超音波発振器２２による発振を行わせるように、流量センサ２０による吐水される水の検知と連動して、超音波発振器２２による発振を開始させる。このように、浴室用水栓からの吐水、例えば、身体洗い、浴室の清掃等のための吐水の開始と、超音波洗浄の開始とを連動させることで、使用者に超音波洗浄を行うタイミングを意識させることなく、排水口部分の洗浄を行うことができる。また、封水の水位を上昇させ、その水位が最大水位Ｗ１となっている期間のうち少なくとも一部の期間において超音波発振器２２による超音波洗浄を実行することにより、第１水位よりも高い排水口部分の汚れを洗浄することが可能となる。また、制御装置２４は、浴室用水栓からの吐水の開始と超音波洗浄の開始とを連動させるので、排水システム１０１は、超音波洗浄用の水を排水本体部１０８に別途供給しなくとも、浴室用水栓からの吐水、例えば身体洗い、浴室の清掃等のための吐水等の通常の使用態様の吐水を利用して超音波洗浄を行うことができる。さらに、排水システム１０１は、浴室用水栓からの吐水により供給された水を用いて超音波洗浄を行うことができる。このため、超音波洗浄用の水を供給するための専用の給水路の設置を省略することができる。
【０１３６】
次に、図２３及び図２４により、本発明の第３実施形態による排水システムを説明する。第３実施形態は、本発明による排水システムを浴室の浴槽に適用した例である。図２３は本発明の第３実施形態による排水システムを備えた浴室の斜視図である。図２４は図２３のＸＸＩＶ−ＸＸＩＶ線に沿って見た浴室の床面近傍部分の部分拡大断面図である。
【０１３７】
第３実施形態による排水システム２０１は、上述した第２実施形態による排水システム１０１とほぼ同様の構造を有する部分があるため、本発明の第３実施形態の第２実施形態とは異なる点のみを説明し、同様な部分については図面に同じ参照符号を付して説明を省略する。本発明の第３実施形態による排水システム２０１の動作（作用）については、第１実施形態による排水システム１の動作（作用）と同様であるので説明を省略する。
【０１３８】
排水システム２０１は、さらに、浴槽１０５の底部１０５ａの下流端と接続される排水本体部２０８を備えている。
【０１３９】
浴槽側水栓装置１０９は、上流側において、給水源（図示せず）から水が供給される水給水路９及び、湯が供給される湯給水路１１に接続される。浴槽側水栓装置１０９は、湯水混合部である湯水混合栓６ａを備え、水給水路９からの水と、湯給水路１１からの湯とを湯水混合栓６ａにおいて混合し、浴槽１０５に吐水する吐水部２０６ｂから吐水させる。水給水路９及び湯給水路１１は、湯水混合栓６ａに接続され、吐水側流路６ｃが湯水混合栓６ａから延び、後述する流量センサ２０を通り、吐水部２０６ｂまで延びている。浴槽側水栓装置１０９の吐水部２０６ｂ及びシャワー水栓装置１０７の吐水部１０７ｂは、水を浴槽１０５内に吐水する。浴槽側水栓装置１０９、シャワー水栓装置１０７は、それぞれ、浴槽１０５を介して、排水本体部２０８に水を供給する。浴槽１０５は、浴槽側水栓装置１０９及び／又はシャワー水栓装置１０７から吐水された水を下流側に排出するように形成される。
【０１４０】
図２４に示すように、排水本体部２０８は、浴槽１０５の下流側に設けられると共に封水を形成するように構成される。
排水本体部２０８は、浴槽１０５側に開口される入口部２１０と、入口部２１０の下流側に設けられるトラップ形状の流路である第１排水流路２１２と、第１排水流路２１２から分岐される第２排水流路１１４と、一定の大きさの汚れが第２排水流路１１４に侵入することを抑制する侵入抑制部１１６を備えている。入口部２１０及び排水本体部２０８は浴槽１０５の排水口部分を形成している。排水本体部２０８は、浴槽１０５に吐水された水を排水するとともに、吐水された水の一部を貯留させてその内部に封水水位Ｗ２で通常時の封水を形成する封水形成部として機能する。入口部２１０は、底部１０５ａの一部が底面よりも下方に窪むことにより形成されている。なお、排水本体部２０８には、浴槽１０５からの流路とは別の水の供給流路が接続されていてもよい。
【０１４１】
排水本体部２０８は、第３水位Ｗ３の高さ近傍において排水流路の上方側部分が拡径される拡径部２０８ａを形成している。拡径部２０８ａは、排水流路の下方側部分よりも外周方向に広がった部分に壁面を形成している。よって、拡径部２０８ａは、排水本体部２０８の汚れを洗浄しにくくなる部分を形成している。後述する超音波発振器２２２から直進する超音波が拡径部２０８ａまで回折するように回り込むことから拡径部２０８ａにおいては超音波洗浄の能力が低下しやすくなる。
【０１４２】
排水システム２０１は、さらに、浴槽側水栓装置１０９及び／又はシャワー水栓装置１０７から吐水される水を検知する検知部である流量センサ２０と、排水本体部２０８内の水に超音波を発振する超音波発振器２２２と、超音波発振器２２２の作動を制御する制御装置２４と、排水本体部８の第１排水流路２１２の下流側に設けられる出口流路１２６を備えている。
【０１４３】
流量センサ２０は、浴槽側水栓装置１０９及び／又はシャワー水栓装置１０７の湯水混合栓６ａと吐水部２０６ｂ、１０７ｂとの間に設けられる。流量センサ２０は、吐水部２０６ｂ、１０７ｂから吐水される水の単位時間あたりの流量を検知できる。
【０１４４】
制御装置２４は、超音波洗浄モードにより、浴槽側水栓装置１０９及び／又はシャワー水栓装置１０７からの吐水の開始と超音波洗浄の開始とを連動させることができる。制御装置２４は、排水本体部２０８内の水位が最大水位Ｗ１となる期間のうち少なくとも一部の期間において超音波発振器２２２による発振を行わせるように、流量センサ２０による吐水される水の検知と連動して、超音波発振器２２２による発振を開始させる。制御装置２４は、排水本体部２０８内の水位が最大水位Ｗ１となる期間において超音波発振器２２２による発振を継続させる。制御装置２４は、排水本体部２０８内の水位が最大水位Ｗ１に到達するとき既に超音波発振器２２２による発振を行わせている。制御装置２４は、排水本体部２０８内の水位が最大水位Ｗ１まで上昇する前に超音波発振器２２２による発振を開始させる。制御装置２４は、排水本体部２０８内の水位が最大水位Ｗ１から下降時又は封水水位Ｗ２まで下降後に超音波発振器２２２による発振を停止させる。
【０１４５】
超音波発振器２２２は、排水本体部２０８内の入口部２１０の下方に設けられている。超音波発振器２２２は、排水本体部２０８の底部に設けられ、上方に向けて電波を発振するように配置されている。
【０１４６】
網かご（図示せず）は、排水本体部２０８の上流側部分に配置されている。網かご（図示せず）は、入口部２１０の下方側の流路全体を覆うように形成される。
【０１４７】
次に、図２４を参照して、本発明の第１実施形態による排水システムの第１排水流路１２１２及び第２排水流路１１４について説明する。
排水システム２０１の排水本体部２０８の第１排水流路２１２は、入口部２１０の下方に接続される接続部２１２ａと、排水トラップを形成するように下流側に向けて斜め上方に上昇する上昇流路である第１排水流路上昇部２１２ｂと、第１排水流路上昇部２１２ｂと下降部２１２ｄとの間における折り返し部分である頂部２１２ｃと、頂部２１２ｃから下降する下降流路である下降部２１２ｄとを備えている。下降部２１２ｄは出口流路１２６と接続される。
【０１４８】
第１排水流路２１２は、第１排水流路上昇部２１２ｂから下降部２１２ｄに向けて折り返すトラップ形状の流路である。下降部２１２ｄは第１排水流路上昇部２１２ｂの下流端に接続され且つほぼ鉛直方向下方に延びるように形成されている。排水本体部２０８の内部の接続部２１２ａ、第１排水流路上昇部２１２ｂ及び第２排水流路１１４において後述するように封水が形成され、封水水位Ｗ２が規定される。また、第１排水流路２１２は、トラップ形状の流路の頂部２１２ｃにより入口部２１０の高さ以下の最大水位Ｗ１を規定するように構成されている。最大水位Ｗ１は、網かご（図示せず）の底面よりも高い位置、例えば網かごの上部に規定されている。最大水位Ｗ１は、網かごの上方に規定されていてもよい。第１排水流路２１２の頂部２１２ｃが、排水本体部２０８の入口部２１０の高さに設けられることにより、第１排水流路２１２により規定される最大水位Ｗ１は、排水本体部２０８の入口部２１０の高さとされる。第１排水流路２１２は、後述する単位時間あたりの第２排水量よりも大きな単位時間あたりの第１排水量を出口流路１２６に排水できるような第１の流路断面積Ｄ１１に形成されている。第１の流路断面積Ｄ１１は、第１排水流路２１２の流路断面積のうち最小の流路断面積である。
【０１４９】
第２排水流路１１４の入口部１１４ａは、排水本体部２０８（排水本体部１０８）の側壁に形成されている。出口部１１４ｂは、出口流路１２６の側壁に接続されている。
【０１５０】
第２排水流路１１４の入口部１１４ａは頂部１１４ｃを形成している。第２排水流路１１４は、頂部１１４ｃにより排水本体部２０８内の封水水位Ｗ２を規定する。なお、第２排水流路１１４は、例えば第２排水流路１１４の中間部分又はその出口が流路の最も高い部分を構成することにより封水水位Ｗ２を規定するように構成されてもよい。また、封水水位Ｗ２は、第２排水流路１１４以外の構成により規定されていてもよい。封水水位Ｗ２は、網かごより下方に規定される。封水水位Ｗ２は、排水本体部２０８の中央近傍又は下側部分に位置している。
【０１５１】
第１排水流路２１２及び第２排水流路１１４は、排水本体部２０８内の水位が最大水位Ｗ１を超えないように、排水本体部２０８内に流入する水を出口流路１２６に排水させる排水手段として機能する。少なくとも第１排水流路２１２は、排水本体部２０８内の水位が最大水位Ｗ１を超えないように、第１排水流路２１２内の水を出口流路１２６に排水させるように機能する。排水手段は、第１排水流路２１２及び第２排水流路１１４により、排水本体部１０８内の水位が最大水位Ｗ１に到達した場合、排水本体部２０８から出口流路１２６に流出する水の単位時間あたりの排水量が排水本体部２０８内に流入する水の単位時間あたりの流入量以上にされるように形成されている。排水手段は、排水本体部２０８内に水が第２排水量を超える流入量でさらに流入されている間、排水本体部２０８内の水位を最大水位Ｗ１に維持するように形成されている。
【０１５２】
第１排水流路２１２及び第２排水流路１１４は、浴槽側水栓装置１０９及び／又はシャワー水栓装置１０７から吐水される水により、水位を、封水水位Ｗ２より高い洗浄時の封水の水位として設定された最大水位Ｗ１まで上昇させる水位上昇手段として機能する。少なくとも第２排水流路１１４は、絞り部１３０の単位時間あたりの第２排水量を超える単位時間あたりの流入量の水が排水本体部２０８内に流入する場合に、排水本体部１０８内の水位を、封水水位Ｗ２より高く且つ最大水位Ｗ１まで少なくとも上昇させるように機能する。
【０１５３】
上述した本発明の第３実施形態による排水システム２０１によれば、制御装置２４は、封水の水位が最大水位Ｗ１となる期間のうち少なくとも一部の期間において超音波発振器２２２による発振を行わせるように、流量センサ２０による吐水される水の検知と連動して、超音波発振器２２２による発振を開始させる。このように、浴室用水栓からの吐水、例えば、浴槽の清掃、浴室の浴槽側の清掃等のための吐水の開始と超音波洗浄の開始とを連動させることで、使用者に超音波洗浄を行うタイミングを意識させることなく、排水口部分の洗浄を行うことができる。また、封水の水位を上昇させ、その水位が最大水位Ｗ１となっている期間のうち少なくとも一部の期間において超音波発振器２２２による超音波洗浄を実行することにより、第１水位よりも高い排水口部分の汚れを洗浄することが可能となる。
また、制御装置２４は、浴室用水栓からの吐水の開始と超音波洗浄の開始とを連動させるので、排水システム２０１は、超音波洗浄用の水を排水本体部２０８に別途供給しなくとも、浴室用水栓からの吐水、例えば浴槽の清掃、浴室の浴槽側の清掃等のための吐水等の通常の使用態様の吐水を利用して超音波洗浄を行うことができる。
さらに、排水システム２０１は、浴室用水栓からの吐水により供給された水を用いて超音波洗浄を行うことができる。このため、超音波洗浄用の水を供給するための専用の給水路の設置を省略することができる。
【０１５４】
次に、図２５及び図２６により、本発明の第４実施形態による排水システムを説明する。第４実施形態は、本発明による排水システムを洗面用水栓装置の洗面ボウルに適用した例である。図２５は本発明の第４実施形態による排水システムを備えた洗面用水栓装置の斜視図である。図２６は図２５のＸＸＶＩ−ＸＸＶＩ線に沿って見た洗面用水栓装置の洗面ボウルの床面近傍部分の部分拡大断面図である。なお、図２６において、内部構造の説明のため、排水本体部の断面で示されていない流路についても仮想線により内部構造を概略的に図示している。
【０１５５】
第４実施形態による排水システム３０１は、上述した第１実施形態による排水システム１と基本構造が類似しているため、本発明の第４実施形態につき第１実施形態とは異なる点のみを説明し、同様な部分については図面に同じ参照符号を付して説明を省略する。本発明の第４実施形態による排水システム３０１の動作（作用）については、第１実施形態による排水システム１の動作（作用）と同様であるので説明を省略する。
【０１５６】
排水システム３０１は、洗面化粧台３０２に設けられた水受け部である洗面ボウル３０４と、洗面ボウル３０４に水を吐水する洗面用水栓である洗面用水栓装置（吐水部）３０６と、洗面ボウル３０４の底部３０４ａの下流端と接続される排水本体部３０８とを備えている。洗面ボウル３０４は、洗面化粧台用のボウルに限られず、手洗いができる程度の大きさの手洗いボウルを含む。
【０１５７】
洗面用水栓装置３０６は、上流側において、給水源（図示せず）から水が供給される水給水路９及び、湯が供給される湯給水路１１に接続される。洗面用水栓装置３０６は、湯水混合栓６ａを備え、水給水路９からの水と、湯給水路１１からの湯とを混合し、吐水部３０６ｂから吐水させる。水給水路９及び湯給水路１１は、湯水混合栓６ａに接続され、吐水側流路６ｃが湯水混合栓６ａから後述する流量センサ２０を通り、吐水部３０６ｂまで延びている。洗面ボウル３０４は、洗面用水栓装置３０６から吐水された水を下流側に排出するように形成される。
【０１５８】
次に、図２６を参照して、本発明の第４実施形態による排水システムの排水本体部について説明する。
排水本体部３０８は、洗面ボウル３０４側に開口される入口部３１０と、入口部３１０の下流側に設けられるトラップ形状の流路である第１排水流路３１２と、第１排水流路３１２から分岐される第２排水流路３１４とを備えている。入口部３１０及び排水本体部３０８は洗面ボウル３０４の排水口部分を形成している。排水本体部３０８は、洗面ボウル３０４に吐水された水を排水するとともに、吐水された水の一部を貯留させてその内部に封水水位Ｗ２で通常時の封水を形成する封水形成部として機能する。入口部３１０は、底部３０４ａの一部が底面よりも下方に窪むことにより形成されている。なお、排水本体部３０８には、シンク４からの流路とは別の水の供給流路が接続されていてもよい。別の水の供給流路は、別の給水源（図示せず）に接続される。排水本体部３０８内に流入する水には、洗面ボウル３０４からの流路とは別の水の供給流路から排水本体部３０８内に流入する水も含まれる。また、排水本体部３０８内に流入する水には、洗剤、シャンプー、ボディーソープ、食器の汚れ、水受け部の汚れ等のいずれかを含むような水、例えば生活排水も含まれる。
【０１５９】
排水システム３０１は、さらに、洗面用水栓装置３０６から吐水される水を検知する検知部である流量センサ２０と、排水本体部３０８内の水に超音波を発振する超音波発振器２２と、超音波発振器２２の作動を制御する制御装置２４と、排水本体部３０８の第１排水流路３１２の下流側に設けられる出口流路３２６とを備えている。
【０１６０】
流量センサ２０は、洗面用水栓装置３０６の湯水混合栓６ａと吐水部３０６ｂとの間に設けられる。流量センサ２０は、洗面用水栓装置３０６の吐水部３０６ｂから吐水される水の単位時間あたりの流量を検知できる。
【０１６１】
超音波発振器２２は、排水本体部３０８内の入口部３１０の下方に設けられている。超音波発振器２２は、排水本体部３０８の底部に設けられ、上方に向けて電波を発振するように配置されている。
【０１６２】
網かご（図示せず）は、排水本体部３０８の上流側部分に配置されている。網かご（図示せず）は、入口部３１０の下方側の流路全体を覆うように形成される。
【０１６３】
制御装置２４は、超音波洗浄モードにより、洗面用水栓装置３０６からの吐水の開始と超音波洗浄の開始とを連動させることができる。制御装置２４は、排水本体部３０８内の水位が最大水位Ｗ１となる期間のうち少なくとも一部の期間において超音波発振器２２による発振を行わせるように、流量センサ２０による吐水される水の検知と連動して、超音波発振器２２による発振を開始させる。制御装置２４は、排水本体部３０８内の水位が最大水位Ｗ１となる期間において超音波発振器２２による発振を継続させる。制御装置２４は、排水本体部３０８内の水位が最大水位Ｗ１に到達するとき既に超音波発振器２２による発振を行わせている。制御装置２４は、排水本体部３０８内の水位が最大水位Ｗ１まで上昇する前に超音波発振器２２による発振を開始させる。制御装置２４は、排水本体部３０８内の水位が最大水位Ｗ１から下降時又は封水水位Ｗ２まで下降後に超音波発振器２２による発振を停止させる。
【０１６４】
出口流路３２６は、第１排水流路３１２の下流端に接続され、鉛直方向下方に延びている。出口流路３２６は、さらに下流側の排水配管（図示せず）に接続される。出口流路３２６は、その一部が排水本体部３０８によって形成されていてもよい。
【０１６５】
次に、図２５及び図２６を参照して、本発明の第１実施形態による排水システムの第１排水流路３１２及び第２排水流路３１４について説明する。
排水システム３０１の排水本体部３０８の第１排水流路３１２は、入口部３１０の下方に接続される接続部３１２ａと、排水トラップを形成するように下流側に向けて斜め上方に上昇する上昇流路である第１排水流路上昇部３１２ｂと、第１排水流路上昇部３１２ｂと下降部３１２ｄとの間において排水トラップの第１排水流路上昇部３１２ｂと接続する折り返し部分である頂部３１２ｃと、頂部１２ｃから下降する下降流路である下降部３１２ｄとを備えている。下降部３１２ｄは出口流路３２６と接続される。
【０１６６】
第１排水流路３１２は、第１排水流路上昇部３１２ｂから下降部３１２ｄに向けて折り返すトラップ形状の流路である。下降部３１２ｄは第１排水流路上昇部３１２ｂの下流端に接続され且つほぼ鉛直方向下方に延びるように形成されている。排水本体部３０８の内部の接続部３１２ａ、第１排水流路上昇部３１２ｂ及び第２排水流路３１４において後述するように封水が形成され、第１水位である封水水位Ｗ２が規定される。また、第１排水流路３１２は、トラップ形状の流路の頂部３１２ｃにより入口部３１０の高さ以下の最大水位Ｗ１を規定するように構成されている。最大水位Ｗ１は、洗浄時の封水の水位として設定された第２水位である。最大水位Ｗ１は、網かご（図示せず）の底面よりも高い位置、例えば網かご（図示せず）の上部に規定されている。最大水位Ｗ１は、網かご（図示せず）の上方に規定されていてもよい。第１排水流路３１２の頂部３１２ｃが、排水本体部３０８の入口部３１０の高さに設けられることにより、第１排水流路３１２により規定される最大水位Ｗ１は、排水本体部３０８の入口部３１０の高さとされる。第１排水流路３１２は、後述する単位時間あたりの第２排水量よりも大きな単位時間あたりの第１排水量を出口流路３２６に排水できるような第１の流路断面積Ｄ１に形成されている。第１の流路断面積Ｄ１は、第１排水流路３１２の流路断面積のうち最小の流路断面積である。
【０１６７】
第２排水流路３１４は、第１排水流路３１２の頂部３１２ｃより上流側に設けられた第２排水流路３１４の入口部３１０ａから頂部３１４ｃを形成している出口部３１４ｂまで延びるバイパス流路を形成する。第２排水流路３１４は、入口部３１０ａから下流側に向けて斜め上方に上昇する第２排水流路上昇部３１４ｈと、入口部３１０ａと出口部３１４ｂとの間において最も高い部分を形成する頂部３１４ｃとを備えている。
【０１６８】
第２排水流路３１４の入口部３１０ａは、第１排水流路３１２の第１排水流路上昇部３１２ｂの下面に接続されている。出口部３１４ｂは、出口流路３２６の側壁に接続されている。
【０１６９】
第２排水流路３１４は、頂部３１４ｃにより排水本体部３０８内の封水水位Ｗ２を規定する。なお、第２排水流路３１４は、例えば第２排水流路３１４の中間部分又はその入口が流路の最も高い部分を構成することにより封水水位Ｗ２を規定するように構成されてもよい。また、封水水位Ｗ２は、第２排水流路３１４以外の構成により規定されていてもよい。封水水位Ｗ２は、網かご（図示せず）より下方に規定される。封水水位Ｗ２は、第１排水流路上昇部３１２ｂの中央近傍又は下側部分に位置し、排水本体部３０８の中央近傍又は下側部分に位置している。
【０１７０】
第２排水流路３１４は、さらに、その流路の一部を絞る絞り部３３０を備えている。絞り部３３０は第２排水流路３１４の最小の流路径により形成されている。
【０１７１】
図２６に示すように、第２排水流路３１４の入口部３１０ａの流路断面は、円管形状に形成されている。第２排水流路３１４は、絞り部３３０において、単位時間あたりに第２排水量を出口流路３２６に排水できるような第２の流路断面積Ｄ２に形成されている。第２の流路断面積Ｄ２は、第２排水流路３１４の流路断面積のうち最小の流路断面積である。第２排水流路３１４の第２の流路断面積Ｄ２は第１排水流路３１２の第１の流路断面積Ｄ１よりも小さい。よって、第２排水流路３１４は、絞り部３０により第１排水流路３１２よりも大きな流路抵抗を有するように形成されている。第２排水流路３１４は、第２排水流路３１４の絞り部３３０の単位時間あたりの第２排水量を超える単位時間あたりの流入量の水が排水本体部３０８内に流入する場合に、排水本体部３０８内の水位を、封水水位Ｗ２より高く且つ第１排水流路１２により規定される最大水位Ｗ１まで少なくとも上昇させるように機能する。
【０１７２】
第１排水流路３１２及び第２排水流路３１４は、排水本体部３０８内の水位が最大水位Ｗ１を超えないように、排水本体部３０８内に流入する水を出口流路３２６に排水させる排水手段として機能する。少なくとも第１排水流路３１２は、排水本体部３０８内の水位が最大水位Ｗ１を超えないように、第１排水流路３１２内の水を出口流路３２６に排水させるように機能する。排水手段は、第１排水流路３１２及び第２排水流路３１４により、排水本体部３０８内の水位が最大水位Ｗ１に到達した場合、排水本体部３０８から出口流路３２６に流出する水の単位時間あたりの排水量が排水本体部３０８内に流入する水の単位時間あたりの流入量以上にされるように形成されている。排水手段は、排水本体部３０８内に水が第２排水量を超える流入量でさらに流入されている間、排水本体部３０８内の水位を最大水位Ｗ１に維持するように形成されている。
【０１７３】
第１排水流路３１２及び第２排水流路３１４は、洗面用水栓装置３０６から吐水される水により、封水の水位を、第１排水流路上昇部３１２ｂ内の封水水位Ｗ２より高い洗浄時の封水の水位として設定された最大水位Ｗ１まで上昇させる水位上昇手段として機能する。少なくとも第２排水流路３１４は、絞り部３３０の単位時間あたりの第２排水量を超える単位時間あたりの流入量の水が排水本体部３０８内に流入する場合に、排水本体部３０８内の水位を、封水水位Ｗ２より高く且つ最大水位Ｗ１まで少なくとも上昇させるように機能する。
【０１７４】
上述した本発明の第４実施形態による排水システム３０１によれば、制御装置２４は、封水内の水位が最大水位Ｗ１となる期間のうち少なくとも一部の期間において超音波発振器２２による発振を行わせるように、流量センサ２０による吐水される水の検知と連動して、超音波発振器２２による発振を開始させる。このように、洗面用水栓からの吐水、例えば、手洗い、洗顔、歯磨き、洗面ボウルの清掃等のための吐水の開始と超音波洗浄の開始とを連動させることで、使用者に超音波洗浄を行うタイミングを意識させることなく、排水口部分の洗浄を行うことができる。また、封水の水位を上昇させ、その水位が最大水位Ｗ１となっている期間のうち少なくとも一部の期間において超音波発振器２２による超音波洗浄を実行することにより、第１水位よりも高い排水口部分の汚れを洗浄することが可能となる。
また、制御装置２４は、洗面用水栓からの吐水の開始と超音波洗浄の開始とを連動させるので、排水システム３０１は、超音波洗浄用の水を排水本体部３０８に別途供給しなくとも、洗面用水栓からの吐水、例えば手洗い、洗顔、歯磨き、洗面ボウルの清掃等のための吐水等の通常の使用態様の吐水を利用して超音波洗浄を行うことができる。
さらに、排水システム３０１は、洗面用水栓からの吐水により供給された水を用いて超音波洗浄を行うことができる。このため、超音波洗浄用の水を供給するための専用の給水路の設置を、省略することができる。
【符号の説明】
【０１７５】
１        排水システム
２        キッチン
４        シンク
４ａ      底部
４ｂ      底面
６        キッチン用水栓装置
６ａ      湯水混合栓
６ｂ      吐水部
６ｃ      吐水側流路
８        排水本体部
８ａ      拡径部
９        水給水路
１０      入口部
１１      湯給水路
１２      第１排水流路
１２ａ    接続部
１２ｂ    第１排水流路上昇部
１２ｃ    頂部
１２ｄ    下降部
１４      第２排水流路
１４ａ    入口部
１４ｃ    頂部
１６      侵入抑制部
２０      流量センサ
２２      超音波発振器
２４      制御装置
２６      出口流路
２８      網かご
３０      絞り部
３２      貫通孔
１０１    排水システム
１０２    浴室
１０４    場床
１０５    浴槽
１０６ｂ  吐水部
１０７ｂ  吐水部
２０１    排水システム
２０６ｂ  吐水部
２２２    超音波発振器
３０１    排水システム
３０４    洗面ボウル
３０６ｂ  吐水部
３０８    排水本体部
Ｗ０      封水水位
Ｗ１      最大水位
Ｗ２      封水水位
Ｗ３      第３水位
【図１】
2020051219.tif 000003
【図２】
2020051219.tif 000004
【図３】
2020051219.tif 000005
【図４】
2020051219.tif 000006
【図５】
2020051219.tif 000007
【図６】
2020051219.tif 000008
【図７】
2020051219.tif 000009
【図８】
2020051219.tif 000010
【図９】
2020051219.tif 000011
【図１０】
2020051219.tif 000012
【図１１】
2020051219.tif 000013
【図１２】
2020051219.tif 000014
【図１３】
2020051219.tif 000015
【図１４】
2020051219.tif 000016
【図１５】
2020051219.tif 000017
【図１６】
2020051219.tif 000018
【図１７】
2020051219.tif 000019
【図１８】
2020051219.tif 000020
【図１９】
2020051219.tif 000021
【図２０】
2020051219.tif 000022
【図２１】
2020051219.tif 000023
【図２２】
2020051219.tif 000024
【図２３】
2020051219.tif 000025
【図２４】
2020051219.tif 000026
【図２５】
2020051219.tif 000027
【図２６】
2020051219.tif 000028
【図２７】
2020051219.tif 000029
【図２８】
2020051219.tif 000030
【図２９】
2020051219.tif 000031
【図３０】
2020051219.tif 000032